(57)【特許請求の範囲】
【請求項１】
遊技者の操作によって遊技媒体が打ち込まれる遊技領域が形成される透明な遊技パネルと、
前記遊技領域と重なる位置において、該遊技パネルの後方に配置される第一装飾部材及び第二装飾部材と、
を備え、
前記第一装飾部材と前記第二装飾部材とは正面視において離間して配置され、かつ、前記第一装飾部材は、前記第二装飾部材よりも後方に離間して配置されており、
遊技者の操作によって打ち込まれた後の前記遊技媒体が、遊技者側からの正面視において、前記第一装飾部材の配置位置とは重なり、かつ、前記第二装飾部材の配置位置とは重ならずに通過可能な箇所を有する
ことを特徴とする遊技機。
【発明の詳細な説明】
【技術分野】
【０００１】
本発明は、遊技盤の盤面に球を発射して楽しむ遊技機に関する。
【背景技術】
【０００２】
パチンコ機に代表されるこの種の遊技機は、遊技盤の盤面に球を発射して障害釘による球の移動を楽しみながら、入賞口を狙うものであるが、遊技盤の盤面を打球の移動面とし、また、遊技盤の盤面に障害釘を固定している。なお、遊技盤は背面側に重量のある制御用基板を含む液晶ユニットなどを支持するので、遊技盤の基体は、通常、頑丈な合板製である。合板の表面は遊技者に見えてしまうので、表面に図柄を印刷したフィルムを貼るなどして装飾してある（特許文献１・図８）。
このため、打球が移動する遊技領域ないし打球移動領域は遊技者からみて平坦で奥行きを感じられない領域になっている。
【０００３】
さらに、遊技盤と液晶画面との間に役物装置を配置するような機種では、遊技盤の中央で奥深いところに変動図柄などを表示する液晶画面があるためにその周辺に設定されている平坦な打球移動領域が液晶画面を取り囲んで圧迫感を与えてしまうことがある。
一方、遊技盤を基体とその表面側に重ねる透明なアクリル樹脂などの透明板とで形成し、基体によって背面側の荷重を支持すると共に透明板に障害釘を固定し、また、その表面に打球移動領域を設定する試みもなされている。しかし、この場合も裏面に合板の基体を重ねているので、打球移動領域は平坦にしか見えない。
【先行技術文献】
【特許文献】
【０００４】
【特許文献１】特開２００９−２６８６２７号公報
【発明の概要】
【発明が解決しようとする課題】
【０００５】
パチンコ機に代表される遊技機において、遊技者が遊技盤の特に打球移動領域に、奥行きのある空間感覚を持ち、かつ、その空間を球が移動するように感じる演出ができる遊技機の提供を課題とする。
【課題を解決するための手段】
【０００６】
遊技盤を透明にする。
遊戯盤の背面側に空間を設ける。
盤面を移動する球が空間を移動するような感覚を持たせる演出をする。例えば、盤面の前面側、背面側に装飾物を配置し、その配置を工夫することにより前方装飾物を打球の移動軌跡と重なる位置に、後方装飾物を重ならない位置に配置するなどする。盤面そのものにも図柄を配置すると、移動する打球に対して装飾物や図柄が３層となり、この箇所を移動する打球との視覚的な関連から、打球が空間を移動するような空間感覚を演出することができる。すなわち、透明な遊戯盤の前面側と背面側に装飾物を配置し、前方装飾物と後方装飾物との視覚的関連により空間感覚を演出することを特徴とした技術的思想や、透明な遊戯盤の前面側と背面側に配置した装飾物及び盤面に設けた模様との視覚的関連により空間感覚を演出することを特徴とした技術的思想に具体化することができる。
また、遊技盤を基体と透明板を重ねた構成とすることもある。
透明板は表面を打球の移動面とし、また、透明板に障害釘を固定してある。
基体は遊技盤の打球移動領域と対応した部分に窓開口を形成する。窓開口は、前後方向に基体を貫通して形成される。
基体の背面側空間であって前記窓開口から透明板を通して見通せる範囲に、複数の装飾ピースを配置する。
個々の装飾ピースは、前後位置が異なっており、また、正面視において広がりを持つように配置される。
そして、複数の装飾ピースを前方グループと後方グループに分け、前方グループの装飾ピースは正面視において少なくとも球の直径の幅を持った球の移動軌跡と重ならない位置に配置し、後方グループの装飾ピースは正面視において前記球の移動軌跡と重なる位置に配置する特別に設定された正面視配置とする。
【発明の効果】
【０００７】
従来の遊技盤の盤面に球を発射して楽しむ遊技機においては平坦にしか見えなかった打球移動領域に背面側の装飾物や図柄が見え、遊戯盤に空間的な奥行きを与え、装飾物や図柄と打球の移動軌跡との関係で打球が空間を移動するような感覚をもたせる演出ができる。また、基体に透明板を重ねる場合は、基体の窓を通して背後に配置されている装飾ピースが見え、又、これらの前後配置と球の移動軌跡に関して特別に設定された正面視配置とにより、奥行きのある空間を演出することができる。
【図面の簡単な説明】
【０００８】
【図１】実施形態に係るパチンコ遊技機の外枠に対して本体枠を開放し、本体枠に対して扉枠を開放した状態を示す斜視図。
【図２】パチンコ遊技機の正面図。
【図３】パチンコ遊技機の背面図。
【図４】パチンコ遊技機の側面図。
【図５】パチンコ遊技機の平面図。
【図６】パチンコ遊技機を構成する外枠、本体枠、遊技盤、扉枠の後方から見た分解斜視図。
【図７】パチンコ遊技機を構成する外枠、本体枠、遊技盤、扉枠の前方から見た分解斜視図。
【図８】遊技盤の正面図。
【図９】遊技盤の本願における要部を説明するための正面図。
【図１０】透明板の正面図。
【図１１】基体の正面図。
【図１２】基体に透明板を重ねた状態を示す簡略化した正面図。
【図１３】遊技機の縦断面を示す簡略化した断面図。
【図１４】（イ）は、打球と装飾ピースの前後方向の位置関係を示す図。（ロ）は、正面から見える打球と装飾ピースの位置関係を示した図。
【図１５】図１４の状況を斜視図で示した図。
【図１６】機能表示ユニットを概略で示す分解斜視図。
【図１７】機能表示シールの概略図。
【図１８】主基板及び周辺基板のブロック図。
【図１９】主基板（主制御基板）に入出力される各種検出信号及び各種駆動信号の概略図。
【図２０】パチンコ遊技機の電源システムを示すブロック図。
【図２１】電源基板のノイズ対策回路及びアース回路を示す回路図。
【図２２】主制御基板の回路を示す回路図。
【図２３】停電監視回路を示す回路図。
【図２４】本発明に対して参考実施形態となる主制御ＭＰＵの内部回路を示す図。
【図２５】払出制御部の回路等を示す回路図。
【図２６】ドライブＩＣの等価回路を示す回路図。
【図２７】エラー解除スイッチ等の入力回路を示す回路図。
【図２８】主制御基板との各種入出力信号及び外部端子板への各種出力信号を示す入出力図。
【図２９】発射制御部の入力回路を示す回路図。
【図３０】払出制御基板の実装図。
【図３１】発射制御部の発信回路等を示す回路図。
【発明を実施するための形態】
【０００９】
パチンコ遊技機を実施形態として説明する。
【００１０】
［１．パチンコ遊技機の全体構造］
まず、実施形態に係るパチンコ遊技機の全体について説明する（図１乃至図７）。図１は、実施形態に係るパチンコ遊技機１の外枠２に対して本体枠３を開放し、本体枠３に対して扉枠５を開放した状態を示す斜視図であり、図２は、パチンコ遊技機１の正面図である。図３は、パチンコ遊技機１の背面図であり、図４は、パチンコ遊技機１の側面図である。図５は、パチンコ遊技機１の平面図であり、図６は、パチンコ遊技機１を構成する外枠２、本体枠３、遊技盤４、扉枠５の後方から見た分解斜視図であり、図７は、パチンコ遊技機１を構成する外枠２、本体枠３、遊技盤４、扉枠５の前方から見た分解斜視図である。
【００１１】
図１及び図２において、本実施形態に係るパチンコ遊技機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域２５５（図８参照）を遊技者が視認し得る透明板であるガラス板６０を具備したガラスユニット５０と、該ガラスユニット５０の下方に配置され且つ遊技の結果によって払出される球を貯留する貯留皿３０とを備えた扉枠５と、を備えて構成されている。
【００１２】
外枠２には、その下方前方に表面が装飾板６ａによって被覆されている下部前面カバー板６が固着されている。また、本体枠３には、上記したように遊技盤４が着脱自在に装着し得る他に、その裏面下部に打球発射装置３００と、遊技盤４を除く扉枠５や本体枠３に設けられる電気的部品を制御するための各種の制御基板や電源基板等が一纏めに設けられている基板ユニット６５０が取り付けられ、扉枠５が本体枠３から開放されたことを検出する扉枠開放スイッチ３ａや本体枠３が外枠２から開放されたことを検出する本体枠開放スイッチ３ｂが設けられ、本体枠３の後面開口２２２（図６参照）を覆うカバー体７５０が着脱自在に設けられている。
【００１３】
本体枠３には、扉枠５が本体枠３から開放されたことを検出する扉枠開放スイッチ３ａと、本体枠３が外枠２から開放されたことを検出する本体枠開放スイッチ３ｂとが設けられている。更に、扉枠５には、上記した貯留皿３０の他に、遊技窓４２を閉塞するようにガラスユニット５０と、ハンドル装置７０とが設けられている。
【００１４】
なお、扉枠５に設けられる貯留皿３０は１つであり、ハンドル装置７０は扉枠５に設けられている。また、扉枠５と本体枠３とは正面から見てほぼ同じ方形の大きさにされているので、正面から本体枠３をほとんど視認できない。
【００１５】
遊技盤４について説明する。最適な実施例として、基体に透明板を重ねた構成のものを取り上げる。
遊技盤４は、図９−図１２に示すように、正面視がほぼ正方形となる形態であり、ほぼ中央に円形の遊技領域２５５が大きく設定されている。前記正方形の一辺は扉枠５の幅よりわずかに小さい程度である。遊技盤４は、透明なアクリル樹脂板（厚さ５ｍｍ）で形成した透明板２５２（図１０）と厚手の合板（厚さ約３０ｍｍ）で形成した基体２５０（図１１）とを、透明板２５２を表面側として重ね、ねじ４１４により一体に構成してある。
【００１６】
透明板２５２は、図１０のように一枚の板体であり、中央からやや右上に偏って透明体窓２４が形成されている。透明板２５２の表面には、外周レール４１５と内周レール４１６及び複数の障害釘４１７などが取り付けられる（図１２）。外周レール４１５は操作ハンドル部７１により発射された球が遊技盤４の表面を移動できる範囲の外延を定めるものであり、前記遊技領域２５５とほぼ一致する。内周レール４１６は左右に分割されて配置され、図１２において左側の内周レール４１６ａは発射された球を上方の所定位置まで誘導し遊技領域２５５の打球移動領域４１８へ落下させるものであり、右の内周レール４１６ｂは操作ハンドル部７１による打球が強すぎて主たる打球移動領域を飛び越え、もはや打球移動領域４１８へ落下する可能性がない外れ球をアウト口２５６（図９）へと誘導するためのものである。打球移動領域４１８に入った打球は障害釘４１７に衝突しながら落下し、いずれアウト口２５６か入賞口２０（上始動入賞口１３３０、下始動入賞口１３４０、大入賞口１４００）に入る。
【００１７】
すなわち、打球移動領域４１８は、左の内周レール４１６ａの頂部を越えた辺り（遊技領域２５５の左上部分）から盤面上を下方へ、入賞口２０あるいはアウト口２５６へ向けて球が移動する領域であり、落下の方向を種々に変化させる多数の障害釘４１７が打ち込まれている。障害釘４１７は先端がドリルの刃の様に形成されており、先端部を透明板２５２に形成された取り付け孔（図示していない）に差し込んで釘頭を打ち込むことにより、回転しながら取付け孔に進入して固定される。この実施例において、打球移動領域４１８は図１２に鎖線で示すように遊技盤４の左上部、左側、及び下方に渡って設定されている。
【００１８】
基体２５０（図１１）は、ほぼ中央に，前記の透明体窓２４と同様な、比較的に大きな基体窓４２１を備え、基体窓４２１を通して正面側から液晶表示領域１３２０を見通せるようになっている。基体窓４２１は、ほぼ正方形をした基体２５０の中央からやや右上に偏って配置されており、基体窓４２１を切り取った周辺部の下部と左側及び左上方部分に比較的広い領域が形成されている。このうち、左上方の部分に窓開口４２２が形成され、窓開口４２２は前後に貫通している。この実施例では、窓開口４２２ａと窓開口４２２ｂに分割されているがいずれも遊技盤４の前記打球移動領域４１８と対応した部分に形成されている。なお、窓開口４２２の大きさや形は任意であり、また、一連につながった一個の窓開口４２２とすることもできる。ただし、遊技盤４は、背面に比較的重量のある液晶ユニット１３１５（各種の制御基板を含む、図６）などを支持する必要があるので、その荷重に耐えるだけの強度を遊戯盤に残しておく必要がある。
【００１９】
図１２は、基体２５０に透明板２５２を重ねてねじ４１４で固定した基本的な状態を示したものであるが、実際には、図９のように、遊技領域２５５の周囲にさまざまな遊技領域装飾物や遊技状態表示ランプ１５４０などが装着されるのでにぎやかな外観となる。遊技領域装飾物には、ランプが点滅するものの他に、部品の一部が立体的に動く可動の役物なども含まれる。ただし、これらは、遊技盤４の打球移動領域４１８に係らないように配置される。
【００２０】
遊技盤４の前後方向位置を把握するために、遊技機１の断面を模式的に示すと図１３のようになる。つまり、扉枠５のガラスユニット６０の背後に遊技盤４が近接して配置され、遊技盤４の基体２５０と液晶表示領域１３２０との間に奥行き寸法ｄの空間４３２が存在する。空間４３２は通常、液晶表示領域１３２０を遊技機１の前面から引き離して保護すると共に、遊技領域２５５に奥行きを持たせて立体感のある構成とするのに効果がある。一方、遊技領域２５５の周辺であり、遊技盤４の周辺部のために外部からは見えない影の領域はライトや可動の役物の配置空間となっている。
【００２１】
そして、この空間４３２の前記基体２５０に設けた窓開口４２２から見通せる位置に複数の装飾ピース４３３（４３３ａ―４３３ｅ）を取り付けてある（図１３）。
窓開口４２２ａについて説明する。
個々の装飾ピース４３３ａ―４３３ｅは、その前後位置を異ならせる（図１４（イ））とともに正面視において広がりを持つように配置してある（図１４（ロ））。さらに、これらを前方位置の装飾ピース４３３ｄ，４３３ｅと後方位置の装飾ピース４３３ａ，４３３ｂにグループ分けし、図１４（ロ）に示すように、前方グループの装飾ピース４３３ｄ，４３３ｅは正面視において少なくとも球の直径の幅を持った球の移動軌跡と重ならない位置に配置され、後方グループの装飾ピース４３３ａ、４３３ｂは正面視において前記打球の移動軌跡と重なる位置に配置してある。すなわち、透明板２５２の表面を打球４３４（遊技球）が図のように通過するとき、遊技者からみて、後方グループの装飾ピース４３３ａ,４３３ｂを打球４３４が横切るが前方グループの装飾ピース４３３ｄ，４３３ｅを横切ることはない（図１４（ロ））。
【００２２】
このため、打球４３４が基体２５０の窓開口４２２の箇所を通過するとき、打球４３４は図１４（イ）において実線で示すように、実際には透明板２５２の表面を通過しているにもかかわらず、同図に鎖線で示すように、後方グループの装飾ピース４３３ａ,４３３ｂと前方グループの装飾ピース４３３ｄ，４３３ｅの間を打球が通過するように見える。このため、窓開口２２の背後に広がる空間を打球４３４が通過するように見せる演出ができる。
図１５はこの状況を斜視的に示したものである。
【００２３】
この場合に、複数の装飾ピース４３３ａ-４３３ｅは同じ大きさであってもよく、後方グループのものを前方グループのものよりも小さくしても良い。同じ大きさの装飾ピース４３３であっても後方と前方に配置すると遠近感から後方のものは小さく見える。なお、装飾ピース４３３を同一の大きさ、かつ同一形状のもので構成すると、無駄に金型を増やすことがなく省資源、省エネルギー、ひいては環境にも配慮した構造とできる。
場合によって、後方グループのものを前方グループのものよりも小さくすると、空間感覚の演出はより強くなる。なお、前方グループ、後方グループそれぞれの範囲で個々の装飾ピースの前後位置に差があってもよい。さらに、装飾ピース４３３は、同じ形態のものばかりでなくてもよい。ただし、同じ形の方が製品のコスト上、有利であり、前記のとおり環境にやさしい結果となる。
【００２４】
この実施形態において今一つの窓開口４２２ｂについても同様に構成することが好ましい。
そして、二つの窓開口４２２ａ,４２２ｂ間を仕切る隔壁部分４３５（図１１）により窓開口４２２ａ，４２２ｂにおける演出が中断されてしまうのを防止するために、例えば、基体２５０のこの部分に埋め込んだフラッシュ効果のあるＬＥＤを点滅させて打球の移動を眩ますなどの手段を採用してもよい。
なお、遊技盤の実施形態として、基体に透明板を重ねた構造のものを説明したが、遊技盤に奥行きのある空間感覚を持たせる演出をするとの技術的思想からすると、遊技盤全体を透明とし、前記実施形態におけるのと同様に装飾物や図柄を配置した構成とすることもできる。その場合、盤面の前面側と背面側の空間や盤面そのものを利用することができる。
【００２５】
［２．遊技領域内の各種構成部材］
次に、上述した遊技盤４の各種構成部材について説明する。図８は遊技盤の正面図である。なお、遊技領域２５５内に打ち込まれた球（以下、「遊技球」と記載する。）が落下するとき、遊技球を弾いて遊技球の進行方向を複雑にする複数の障害釘４１７は、図面の見やすさの関係上、図示を省略した。
【００２６】
遊技盤４の遊技領域２５５には、図８に示すように、センター役物装置１２００、入賞口ユニット１２１０及び装飾ユニット１２２０が設けられている。また遊技盤４の飾り枠２５１には、機能表示ユニット１２２５が取り付けられている。センター役物装置１２００は遊技領域２５５の中央上寄りに配置されている。これにより、センター役物装置１２００の上方及び右方にはアウト口誘導通路１２００ａが形成され、遊技領域２５５内に発射された遊技球がアウト口誘導通路１２００ａに進入すると、アウト口誘導通路１２００ａに沿って落下して後述するアウト口に誘導されるようになっている。センター役物装置１２００の下方には入賞口ユニット１２１０が配置されている。装飾ユニット１２２０はセンター役物装置１２００の左下方（入賞口ユニット１２１０の左方）に配置されている。機能表示ユニット１２２５は飾り枠２５１の右下側に配置されている。まず、センター役物装置１２００について説明し、続けて入賞口ユニット１２１０、装飾ユニット１２２０、各種表示器及び各種ランプについて説明する。
【００２７】
［２−１．センター役物装置］
センター役物装置１２００は、その上側に点灯する演出ランプ１２３０、右側に明るさが滑らかに変化して階調点灯する階調ランプ１２４０が設けられている。そして下側に遊技球が左右に揺動するステージ１２５０と、入賞口ユニット１２１０に遊技球を誘導する球誘導孔１２６０及び球誘導路１２７０とが設けられており、左側にステージ１２５０に遊技球を誘導するワープ孔１２８０と、遊技球が通過することができるゲート１２９０とが設けられている。このゲート１２９０に進入した遊技球はゲートスイッチ１３００により検出されて再び遊技領域２５５内に戻るようになっている。ゲート１２９０の下方には、ワープ孔１２８０が配置されている。このワープ孔１２８０に進入した遊技球はステージ１２５０に誘導されて揺動したり又は球誘導孔１２６０に進入して球誘導路１２７０を通過したりして、再び遊技領域２５５内に戻るようになっている。
【００２８】
センター役物装置１２００に進入した遊技球がセンター役物装置１２００からパチンコ遊技機１の内部に進入しないようセンター役物装置１２００には隔壁板１３１０が設けられている。上述した球誘導孔１２６０は隔壁板１３１０に設けられており、球誘導路１２７０と連結されている。これにより、球誘導孔１２６０に進入した遊技球は球誘導路１２７０を通過して遊技領域２５５内に再び戻るようになっている。また、隔壁板１３１０は、液晶表示器１３１５の表示領域１３２０に遊技球が衝突するのを防いでいる。
【００２９】
なお、センター役物装置１２００の上側には上あご可動体、下側には下あご可動体が配置されており、視認できない位置（原位置）で待機している。これらの上あご可動体及び下あご可動体は、隔壁板１３１０と表示領域１３２０との間で可動するようになっており、所定の条件が成立したとき、原位置から表示領域１３２０の前面側にそれぞれ出現して再び原位置に戻るようになっている。
【００３０】
［２−２．入賞口ユニット］
入賞口ユニット１２１０は、上始動入賞口１３３０、下始動入賞口１３４０、大入賞口装置１３５０を備えて構成されている。入賞口ユニット１２１０の上側には上始動入賞口１３３０が配置されており、この上始動入賞口１３３０の下方には下始動入賞口１３４０が配置されている。上始動入賞口１３３０に入球した遊技球は上始動口スイッチ１３６０により検出され、下始動入賞口１３４０に入球した遊技球は下始動口スイッチ１３７０により検出される。下始動入賞口１３４０には開閉翼１３８０が設けられており、開閉翼ソレノイド１３９０に駆動信号が出力されると、開閉翼１３８０が開くようになっている。一方、駆動信号が出力されないと、開閉翼１３８０が閉じるようになっている。開閉翼１３８０が開くと、下始動入賞口１３４０に遊技球が入球しやすい開状態となる。一方、開閉翼１３８０が閉じると、下始動入賞口１３４０に遊技球が入球することができない閉状態となる。
【００３１】
所定の条件が成立したとき、開閉翼ソレノイド１３９０に駆動信号が出力されると、開閉翼１３８０が開いて下始動入賞口１３４０が閉状態から開状態となる。このとき、遊技球が下始動入賞口１３４０に入球しやすくなる。一方、開閉翼ソレノイド１３９０に駆動信号が出力されなくなると、開閉翼１３８０が閉じて下始動入賞口１３４０が開状態から閉状態となる。このとき、下始動入賞口１３４０の左方又は右方から進入してくる遊技球は開閉翼１３８０によりブロックされる。
【００３２】
下始動入賞口１３４０の上方には、上述したように、上始動入賞口１３３０が配置されている。このため、上方から進入してくる遊技球は上始動入賞口１３３０によりブロックされている。下始動入賞口１３４０が閉状態から開状態となると、その左方又は右方から進入してくる遊技球に加えて、上始動入賞口１３３０に入球しなかった遊技球、つまり下始動入賞口１３４０の上方から進入してくる遊技球は、下始動入賞口１３４０に入球する機会を得ることができる。
【００３３】
下始動入賞口１３４０の下方には大入賞口装置１３５０が配置されている。この大入賞口装置１３５０は、大入賞口１４００、開閉板１４１０、開閉板ソレノイド１４２０、カウントスイッチ１４３０を備えて構成されている。大入賞口１４００は横長四角形状を有しており、開閉板ソレノイド１４２０に駆動信号が出力されると、開閉板１４１０が開くようになっている。一方、駆動信号が出力されないと、開閉板１４１０が閉じるようになっている。所定の条件が成立して開閉板１４１０が開くと、大入賞口１４００に遊技球が入球しやすい開放状態となる。入球した遊技球はカウントスイッチ１４３０により検出される。一方、開閉板１４１０が閉じると、大入賞口１４００に遊技球が入球することができない閉鎖状態となる。
【００３４】
入賞口ユニット１２１０には、さらに、大入賞口装置１３５０の左側に左普通入賞口１４４０、右側に右普通入賞口１４５０が設けられている。左普通入賞口１４４０に入球した遊技球は左入賞口スイッチ１４６０により検出され、一方、右普通入賞口１４５０に入球した遊技球は右入賞口スイッチ１４７０により検出される。
【００３５】
［２−３．装飾ユニット］
装飾ユニット１２２０は、演出ランプ１５７０、装飾ユニット側普通入賞口１５８０，１５９０を備えて構成されている。装飾ユニット１２２０の下側には点灯する演出ランプ１５７０が配置されている。この演出ランプ１５７０上方に装飾ユニット側普通入賞口１５８０，１５９０が配置されている。これらの装飾ユニット側普通入賞口１５８０，１５９０に遊技球が入球すると、上述した左入賞口スイッチ１４６０で検出される。遊技領域２５５内に発射された遊技球が入賞口ユニット１２１０及び装飾ユニット１２２０に設けた各種入賞口のいずれにも入球しなかったときには上述したアウト口２５６で回収される。また、遊技領域２５５内に発射された遊技球が上述したアウト口誘導通路１２００ａに進入すると、このアウト口誘導通路１２００ａに沿って落下してそのままアウト口２５６に誘導されて回収される。
【００３６】
［２−４．各種表示器及び各種ランプ］
機能表示ユニット１２２５は、セグメント表示器及びＬＥＤ等を複数備えて構成されており、これらのセグメント表示器及びＬＥＤ等には、上特別図柄表示器１４８０、下特別図柄表示器１４９０、上特別図柄記憶ランプ１５００ａ，１５００ｂ、下特別図柄記憶ランプ１５１０ａ，１５１０ｂ、普通図柄表示器１５２０、普通図柄記憶ランプ１５３０ａ〜１５３０ｄ、遊技状態表示ランプ１５４０、２ラウンド表示ランプ１５５０、１５ラウンド表示ランプ１５６０がそれぞれ割り当てられている。
【００３７】
機能表示ユニット１２２５の下側には上特別図柄表示器１４８０が配置され、この上特別図柄表示器１４８０の右方に下特別図柄表示器１４９０が配置されている。上特別図柄表示器１４８０は、上始動入賞口１３３０に遊技球が入球すると、大当り遊技状態の発生の有無を所定の特別図柄として変動表示する。一方、下特別図柄表示器１４９０は、下始動入賞口１３４０に遊技球が入球すると、上特別図柄表示器１４８０と同様に、大当り遊技状態の発生の有無を所定の特別図柄として変動表示する。なお、上始動入賞口１３３０に入球した遊技球は、特別図柄の変動表示で使用されないときには、入球した遊技球の球数を保留数として上特別図柄表示器１４８０の左方に配置された上特別図柄記憶ランプ１５００ａ，１５００ｂに表示する。一方、下始動入賞口１３４０に入球した遊技球は、特別図柄の変動表示で使用されないときには、入球した遊技球の球数を保留数として下特別図柄表示器１４９０の右方に配置された下特別図柄記憶ランプ１５１０ａ，１５１０ｂに表示する。
【００３８】
下特別図柄記憶ランプ１５１０ａの上方には普通図柄表示器１５２０が配置されており、この普通図柄表示器１５２０の左上方に普通図柄記憶ランプ１５３０ａ〜１５３０ｄが配置されている。普通図柄表示器１５２０は、ゲート１２９０に遊技球が通過すると、開閉翼１３８０の開閉の有無を所定の普通図柄として変動表示する。なお、ゲート１２９０に通過した遊技球は、普通図柄の変動表示で使用されないときには、通過した遊技球の球数を保留数として普通図柄記憶ランプ１５３０ａ〜１５３０ｄに表示する。
【００３９】
上特別図柄記憶ランプ１５００ｂの左方には遊技状態表示ランプ１５４０が配置されている。この遊技状態表示ランプ１５４０は遊技状態として確率変動又は小当りが生じている旨を所定の色で点灯して報知する。
【００４０】
普通図柄記憶ランプ１５３０ｄの上方には、２ランド表示ランプ１５５０が配置されており、この２ラウンド表示ランプ１５５０の上方には１５ラウンド表示ランプ１５６０が配置されている。２ラウンド表示ランプ１５５０は、大入賞口１４００が閉鎖状態から開放状態となる最大回数（「ラウンド」という。）が２回である旨を点灯して報知する。一方１５ラウンド表示ランプ１５６０は、ラウンドが１５回である旨を点灯して報知する。
【００４１】
［３．機能表示ユニット］
次に、遊技盤４の裏面に取り付けられる機能表示ユニット１２２５について説明する。図１６は機能表示ユニットの分解斜視図の概略図である。
【００４２】
機能表示ユニット１２２５は、図１６に示すように、機能表示基板１２２５ａ、カバー部材１２２５ｂを備えて構成されている。まず、機能表示基板１２２５ａの構成について説明し、続けてカバー部材１２２５ｂの遊技盤４への取り付けについて説明する。
【００４３】
［３−１．機能表示基板の構成］
機能表示基板１２２５ａは、図１６に示すように、セグメント表示器ＳＥＧ１，ＳＥＧ２、ＬＥＤ１〜ＬＥＤ１２を備えて構成されている。本実施形態では、セグメント表示器ＳＥＧ１には上特別図柄表示器１４８０が割り当てられ、セグメントＳＥＧ２には下特別図柄表示器１４９０が割り当てられている。セグメント表示器ＳＥＧ１，ＳＥＧ２は、英数字及び図形等を表示することができるようになっており、これらの英数字及び図形等を特別図柄として表示することによって、上述した、上始動入賞口１３３０に遊技球が入球すると、セグメント表示器ＳＥＧ１が所定の特別図柄を変動表示し、下始動入賞口１３４０に遊技球が入球すると、セグメント表示器ＳＥＧ２が所定の特別図柄を変動表示するようになっている。
【００４４】
ＬＥＤ１には上特別図柄記憶ランプ１５００ａ、ＬＥＤ２には上特別図柄記憶ランプ１５００ｂがそれぞれ割り当てられ、ＬＥＤ３には下特別図柄記憶ランプ１５１０ａ、ＬＥＤ４には下特別図柄記憶ランプ１５１０ｂがそれぞれ割り当てられている。上始動入賞口１３３０に入球した遊技球は、特別図柄の変動表示で使用されないときには、入球した遊技球の球数を保留数として上特別図柄記憶ランプ１５００ａ，１５００ｂが点灯又は点滅するようになっている。具体的には、保留球が１球のときには上特別図柄記憶ランプ１５００ａが点灯して上特別図柄記憶ランプ１５００ｂが消灯し、保留球が２球のときには上特別図柄記憶ランプ１５００ａ，１５００ｂがともに点灯し、保留球が３球のときには上特別図柄記憶ランプ１５００ａが点滅して上特別図柄記憶ランプ１５００ｂが点灯し、保留球が４球のときには上特別図柄記憶ランプ１５００ａ，１５００ｂがともに点滅する。
【００４５】
一方、下始動入賞口１３４０に入球した遊技球は、特別図柄の変動表示で使用されないときには、入球した遊技球の球数を保留数として下特別図柄記憶ランプ１５１０ａ，１５１０ｂが点灯又は点滅するようになっている。具体的には、保留球が１球のときには下特別図柄記憶ランプ１５１０ａが点灯して下特別図柄記憶ランプ１５１０ｂが消灯し、保留球が２球のときには下特別図柄記憶ランプ１５１０ａ，１５１０ｂがともに点灯し、保留球が３球のときには下特別図柄記憶ランプ１５１０ａが点滅して下特別図柄記憶ランプ１５１０ｂが点灯し、保留球が４球のときには下特別図柄記憶ランプ１５１０ａ，１５１０ｂがともに点滅する。
【００４６】
ＬＥＤ５には普通図柄表示器１５２０が割り当てられている。ＬＥＤ５は赤色／緑色／橙色を点灯することができるＬＥＤであり、これらの赤色／緑色／橙色を組み合わせて点灯することもできるようになっている。ＬＥＤ５は、その点灯する色を普通図柄として表示することによって、上述した、ゲート１２９０に遊技球が通過すると、所定の普通図柄を変動表示するようになっている。
【００４７】
ＬＥＤ６〜ＬＥＤ９には普通図柄記憶ランプ１５３０ａ〜１５３０ｄがそれぞれ割り当てられている。ゲート１２９０に通過した遊技球は、普通図柄の変動表示で使用されないときには、通過した遊技球の球数を保留数として普通図柄記憶ランプ１５３０ａ〜１５３０ｄが点灯するようになっている。具体的には、保留球が１球のときには普通図柄記憶ランプ１５３０ａが点灯して普通図柄記憶ランプ１５３０ｂ〜１５３０ｄが消灯し、保留球が２球のときには普通図柄記憶ランプ１５３０ａ，１５３０ｂが点灯して普通図柄記憶ランプ１５３０ｃ，１５３０ｄが消灯し、保留球が３球のときには普通図柄記憶ランプ１５３０ａ〜１５３０ｃが点灯して普通図柄記憶ランプ１５３０ｄが消灯し、保留球が４球のときには普通図柄記憶ランプ１５３０ａ〜１５３０ｄがすべて点灯する。
【００４８】
ＬＥＤ１０には遊技状態表示ランプ１５４０が割り当てられている。ＬＥＤ１０は赤色／緑色／橙色を点灯することができるＬＥＤであり、これらの赤色／緑色／橙色を組み合わせて点灯することもできるようになっている。ＬＥＤ１０は、その点灯する色を遊技状態として表示することによって、遊技状態が確率変動又は小当りが生じている旨を報知するようになっている。
【００４９】
ＬＥＤ１１には２ラウンド表示ランプ１５５０、ＬＥＤ１２には１５ラウンド表示ランプ１５６０がそれぞれ割り当てられている。上述したように、２ラウンド表示ランプ１５５０は大入賞口１４００が閉鎖状態から開放状態となる回数（ラウンド）が２回である旨を点灯して報知するようになっており、一方、１５ラウンド表示ランプ１５６０はラウンドが１５回である旨を点灯して報知するようになっている。
【００５０】
このように、機能表示基板１２２５ａに実装された、セグメント表示器ＳＥＧ１，ＳＥＧ２、ＬＥＤ１〜ＬＥＤ１２は、上特別図柄表示器１４８０、下特別図柄表示器１４９０、上特別図柄記憶ランプ１５００ａ，１５００ｂ、下特別図柄記憶ランプ１５１０ａ，１５１０ｂ、普通図柄表示器１５２０、普通図柄記憶ランプ１５３０ａ〜１５３０ｄ、遊技状態表示ランプ１５４０、２ラウンド表示ランプ１５５０、１５ラウンド表示ランプ１５６０がそれぞれ割り当てられており、各種機能表示を行う、セグメント表示器ＳＥＧ１，ＳＥＧ２、ＬＥＤ１〜ＬＥＤ１２、つまり上特別図柄表示器１４８０、下特別図柄表示器１４９０、上特別図柄記憶ランプ１５００ａ，１５００ｂ、下特別図柄記憶ランプ１５１０ａ，１５１０ｂ、普通図柄表示器１５２０、普通図柄記憶ランプ１５３０ａ〜１５３０ｄ、遊技状態表示ランプ１５４０、２ラウンド表示ランプ１５５０、１５ラウンド表示ランプ１５６０が機能表示基板１２２５ａに集約された構成になっている。
【００５１】
また、上特別図柄表示器１４８０及び下特別図柄表示器１４９０は、大当たり遊技状態を特別図柄としてそれぞれ変動表示するため、上特別図柄記憶ランプ１５００ａ，１５００ｂ、下特別図柄記憶ランプ１５１０ａ，１５１０ｂ、普通図柄表示器１５２０、普通図柄記憶ランプ１５３０ａ〜１５３０ｄ、遊技状態表示ランプ１５４０、２ラウンド表示ランプ１５５０及び１５ラウンド表示ランプ１５６０と区別して、それらに割り当てられるＬＥＤ１〜ＬＥＤ１２と異なるセグメント表示器ＳＥＧ１，ＳＥＧ２を用いて、英数字及び図形等を特別図柄として変動表示している。
【００５２】
なお、普通図柄記憶ランプ１５３０ａ〜１５３０ｄに割り当てられるＬＥＤ６〜ＬＥＤ９の数と、２ラウンド表示ランプ１５５０及び１５ラウンド表示ランプ１５６０に割り当てられるＬＥＤ１１，ＬＥＤ１２の数との和は機種が異なってもプログラム上の共通性が得られるように定まった値、すなわち固定値１[６]となっている。
【００５３】
［３−２．カバー部材の遊技盤への取り付け］
機能表示基板１２２５ａは、カバー部材１２２５ｂに図示しないネジで固定され、カバー部材１２２５ｂが遊技盤４の飾り枠２５１の裏面から図示しないネジで取り付けられるようになっている。飾り枠２５１には、機能表示基板１２２５ａのセグメントＳＥＧ１，ＳＥＧ２に対応する位置にセグメント表示器用開口２５１ａが形成されており、これらのセグメント表示器ＳＥＧ１，ＳＥＧ２が表示する内容を視認できるようになっている。
【００５４】
また、飾り枠２５１には、機能表示基板１２２５ａのＬＥＤ１〜ＬＥＤ１２に対応する位置にＬＥＤ用挿通孔２５１ｂがそれぞれ設けられており、カバー部材１２２５ｂを飾り枠２５１の裏面に取り付ける際に、ＬＥＤ１〜ＬＥＤ１２が遊技盤４と干渉しないようになっている。これらのＬＥＤ用挿通孔２５１ｂは、ＬＥＤ１〜ＬＥＤ１２の点灯又は点滅した光が隣接するＬＥＤの点灯又は点滅した光と誤認されないように円筒状に形成されている。なお、セグメント表示器ＳＥＧ１，ＳＥＧ２が表示する内容、ＬＥＤ１〜ＬＥＤ１２が点灯又は点滅して表示する内容は、後述する機能表示シール１５９５Ａに印刷されている。飾り枠２５１には、機能表示シール１５９５Ａを貼り付ける機能表示シール貼付部２５１ｃが形成されている。
【００５５】
［４．機能表示シール］
次に、機能表示シール１５９５Ａについて説明する。図１７は機能表示シールの概略図である。機能表示シール１５９５Ａは、図１７に示すように、その表面に機能表示ごとにグループＧｒｐ１〜Ｇｒｐ３にグループ化等されて印刷されており、飾り枠２５１に形成された機能表示シール貼付部２５１ｃに貼り付けられている。飾り枠２５１は遊技盤４の非遊技領域である。
【００５６】
グループＧｒｐ１は、図１７に示すように、上特別図柄表示器１４８０、上特別図柄記憶ランプ１５００ａ，１５００ｂから構成されており、これらの上特別図柄表示器１４８０、上特別図柄記憶ランプ１５００ａ，１５００ｂを視認できる実線ＳＬ１で囲まれた状態で区画されて機能表示シール１５９５Ａに印刷されている。実線ＳＬ１で囲まれた領域は、上特別図柄表示器１４８０による表示や上特別図柄記憶ランプ１５００ａ，１５００ｂによる点灯又は点滅を視認できるように、上特別図柄表示器１４８０、上特別図柄記憶ランプ１５００ａ，１５００ｂと対応する位置が透明となっている。グループＧｒｐ１では、上述した上始動入賞口１３３０への遊技球の入球による特別図柄の変動表示に関する各種情報を表示する。
【００５７】
例えば、上述したように、上始動入賞口１３３０に遊技球が入球すると、上特別図柄表示器１４８０が所定の特別図柄を変動表示したり、入球した遊技球の球数を保留数として上特別図柄記憶ランプ１５００ａ，１５００ｂが点灯又は点滅したりする。このように、上特別図柄表示器１４８０、上特別図柄記憶ランプ１５００ａ，１５００ｂを１つのグループＧｒｐ１にグループ化することによって、これらの上特別図柄表示器１４８０、上特別図柄記憶ランプ１５００ａ，１５００ｂが上始動入賞口１３３０への遊技球の入球による特別図柄の変動表示に関する各種情報を示していることを遊技者に伝えることができる。これにより、遊技者は、実線ＳＬ１で囲まれた状態で区画されて機能表示シール１５９５Ａに印刷されたグループＧｒｐ１を目視することによって上始動入賞口１３３０への遊技球の入球による特別図柄の変動表示に関する各種情報を容易に確認することができる。
【００５８】
グループＧｒｐ２は、図１７に示すように、下特別図柄表示器１４９０、下特別図柄記憶ランプ１５１０ａ，１５１０ｂから構成されており、これらの下特別図柄表示器１４９０、下特別図柄記憶ランプ１５１０ａ，１５１０ｂを視認できる実線ＳＬ２で囲まれた状態で区画されて機能表示シール１５９５Ａに印刷されている。実線ＳＬ２で囲まれた領域は、下特別図柄表示器１４９０による表示や下特別図柄記憶ランプ１５１０ａ，１５１０ｂによる点灯又は点滅を視認できるように、下特別図柄表示器１４９０、下特別図柄記憶ランプ１５１０ａ，１５１０ｂと対応する位置が透明となっている。グループＧｒｐ２では、上述した下始動入賞口１３４０への遊技球の入球による特別図柄の変動表示に関する各種情報を表示する。例えば、上述したように、下始動入賞口１３４０に遊技球が入球すると、下特別図柄表示器１４９０が所定の特別図柄を変動表示したり、入球した遊技球の球数を保留数として下特別図柄記憶ランプ１５１０ａ，１５１０ｂが点灯又は点滅したりする。
【００５９】
このように、下特別図柄表示器１４９０、下特別図柄記憶ランプ１５１０ａ，１５１０ｂを１つのグループＧｒｐ２にグループ化することによって、これらの下特別図柄表示器１４９０、下特別図柄記憶ランプ１５１０ａ，１５１０ｂが下始動入賞口１３４０への遊技球の入球による特別図柄の変動表示に関する各種情報を示していることを遊技者に伝えることができる。これにより、遊技者は、実線ＳＬ２で囲まれた状態で区画されて機能表示シール１５９５Ａに印刷されたグループＧｒｐ２を目視することによって下始動入賞口１３４０への遊技球の入球による特別図柄の変動表示に関する各種情報を容易に確認することができる。
【００６０】
グループＧｒｐ３は、図１７に示すように、普通図柄表示器１５２０、普通図柄記憶ランプ１５３０ａ〜１５３０ｄから構成されており、これらの普通図柄表示器１５２０、普通図柄記憶ランプ１５３０ａ〜１５３０ｄを視認できる実線ＳＬ３で囲まれた状態で区画されて機能表示シール１５９５Ａに印刷されている。実線ＳＬ３で囲まれた領域は、普通図柄表示器１５２０による点灯や普通図柄記憶ランプ１５３０ａ〜１５３０ｄによる点灯を視認できるように、普通図柄表示器１５２０、普通図柄記憶ランプ１５３０ａ〜１５３０ｄと対応する位置が透明となっている。普通図柄表示器１５２０は、上述したように、開閉翼１３８０の開閉の有無を所定の普通図柄として変動表示し、開閉翼１３８０が閉状態から開状態となると、遊技球が下始動入賞口１３４０に入球しやすくなる。
【００６１】
このため、普通図柄表示器１５２０には、上特別図柄表示器１４８０、上特別図柄記憶ランプ１５００ａ，１５００ｂ、下特別図柄表示器１４９０、下特別図柄記憶ランプ１５１０ａ，１５１０ｂ、普通図柄記憶ランプ１５３０ａ〜１５３０ｄ、遊技状態表示ランプ１５４０、２ラウンド表示ランプ１５５０及び１５ラウンド表示ランプ１５６０と見分けが付くように星印が印刷されている。グループＧｒｐ３では、上述したゲート１２９０に関する各種情報を表示する。例えば、上述したように、ゲート１２９０に遊技球が通過すると、普通図柄表示器１５２０が所定の普通図柄を変動表示したり、通過した遊技球の球数を保留数として普通図柄記憶ランプ１５３０ａ〜１５３０ｄが点灯したりする。このように、普通図柄表示器１５２０、普通図柄記憶ランプ１５３０ａ〜１５３０ｄを１つのグループＧｒｐ３にグループ化することによって、これらの普通図柄表示器１５２０、普通図柄記憶ランプ１５３０ａ〜１５３０ｄが普通図柄の変動表示に関する各種情報を示していることを遊技者に伝えることができる。これにより、遊技者は、実線ＳＬ３で囲まれた状態で区画されて機能表示シール１５９５Ａに印刷されたグループＧｒｐ３を目視することによって普通図柄の変動表示に関する各種情報を容易に確認することができる。
【００６２】
遊技状態表示ランプ１５４０、２ラウンド表示ランプ１５５０及び１５ラウンド表示ランプ１５６０と対応する位置には、図１７に示すように、遊技状態表示ランプ１５４０、２ラウンド表示ランプ１５５０及び１５ラウンド表示ランプ１５６０が視認できる実線ＳＬ４〜ＳＬ６でそれぞれ囲まれた状態で区画されて印刷されている。実線ＳＬ４〜ＳＬ６で囲まれた領域は、遊技状態表示ランプ１５４０、２ラウンド表示ランプ１５５０及び１５ラウンド表示ランプ１５６０による点灯を視認できるように、遊技状態表示ランプ１５４０、２ラウンド表示ランプ１５５０及び１５ラウンド表示ランプ１５６０と対応する位置が透明となっている。２ラウンド表示ランプ１５５０及び１５ラウンド表示ランプ１５６０には、ラウンドの最大回数を理解し易いように、２ラウンド表示ランプ１５５０と対応する位置にはラウンドの最大回数である値２が印刷され、１５ラウンド表示ランプ１５６０と対応する位置にはラウンドの最大回数である値１５が印刷されている。
【００６３】
上述したように、遊技状態表示ランプ１５４０は点灯する色を遊技状態として表示することによって遊技状態が確率変動又は小当りが生じている旨を報知し、２ラウンド表示ランプ１５５０は大入賞口１４００が閉鎖状態から開放状態となる回数（ラウンド）が２回である旨を点灯して報知し、１５ラウンド表示ランプ１５６０はラウンドが１５回である旨を点灯して報知する。これにより、遊技者は、実線ＳＬ４で囲まれた状態で区画されて機能表示シール１５９５Ａに印刷された遊技状態表示ランプ１５４０を目視することによって遊技状態を容易に確認することができ、実線ＳＬ５で囲まれた状態で区画されて機能表示シール１５９５Ａに印刷された２ラウンド表示ランプ１５５０を目視することによってラウンドの最大回数が２回であるか否かを容易に確認することができ、実線ＳＬ６で囲まれた状態で区画されて機能表示シール１５９５Ａに印刷された１５ラウンド表示ランプ１５６０を目視することによってラウンドの最大回数が１５回であるか否かを容易に確認することができる。
【００６４】
なお、本実施形態では、上述したように、グループＧｒｐ１〜グループＧｒｐ３は実線ＳＬ１〜ＳＬ６で囲まれた状態で区画されて機能表示シール１５９５Ａに印刷されており、遊技状態表示ランプ１５４０、２ラウンド表示ランプ１５５０及び１５ラウンド表示ランプ１５６０と対応する位置は遊技状態表示ランプ１５４０、２ラウンド表示ランプ１５５０及び１５ラウンド表示ランプ１５６０が視認できる実線ＳＬ４〜ＳＬ６でそれぞれ囲まれた状態で区画されて印刷されている。
【００６５】
このように、機能表示シール１５９５Ａは、図１６に示した機能表示基板１２２５ａに集約して実装された、セグメント表示器ＳＥＧ１，ＳＥＧ２、ＬＥＤ１〜ＬＥＤ１２の機能がグループＧｒｐ１〜Ｇｒｐ３等のようにグループ化されてその内容が印刷されており、区画されている。また普通図柄表示器１５２０等には星印が印刷されており、セグメント表示器ＳＥＧ１，ＳＥＧ２、ＬＥＤ１〜ＬＥＤ１２が表示する内容が、機能表示シール１５９５Ａに集約して印刷されても、それらの意味を容易に理解することができるようになっている。
【００６６】
このような機能と印刷された内容との対応関係が、図１７に示すように、シール管理番号１５９５Ａａとして機能表示シール１５９５Ａに印刷されている。このシール管理番号１５９５Ａａは、図１７に示すように、遊技窓４２から視認しにくい位置に印刷されており、遊技者に必要ではない情報を伝えないようになっている。
【００６７】
ここで、近年のパチンコ遊技機は、そのライフサイクルの短縮化にともないパチンコ遊技機の開発期間も短くなってきている。このため、本実施形態では、例えば、大入賞口１４００が閉鎖状態から開放状態となる回数（ラウンド）が２回、１５回である旨を点灯して報知する２ラウンド表示ランプ、１５ラウンド表示ランプに加えて、ラウンド数が５回、８回である旨を点灯して報知する５ラウンド表示ランプや８ラウンド表示ランプを追加する場合、始動入賞口の数を２つから１つに減らす場合等によるパチンコ遊技機の仕様変更には、共通の機能表示基板１２２５ａを使用することで対応することができるようになっている。
【００６８】
このようなパチンコ遊技機の仕様変更にともない機能表示シールに印刷する内容も変更するため、上述した、セグメント表示器ＳＥＧ１，ＳＥＧ２、ＬＥＤ１〜ＬＥＤ１２の機能と、機能表示シールに印刷された内容と、の対応関係を、シール管理番号として機能表示シールに印刷している。これにより、例えばパチンコ遊技機の製造元では、ラインの作業者が遊技盤に機能表示シールを貼り付ける前に、パチンコ遊技機の仕様と機能表示シールとが対応しているか否かを、シール管理番号を目視することによって確認することができ、パチンコ遊技機の仕様に対応しない機能表示シールが貼り付けられるのを防止することができる。なお、機能表示シールはシールであり、接着剤などを機能表示シールの裏面等に塗る作業工程がなく、生産性の向上に寄与している。
【００６９】
［５．主基板及び周辺基板］
次に、パチンコ遊技機１の各種制御を行う制御基板について説明する。図１８は主基板及び周辺基板のブロック図であり、図１９は主基板（主制御基板）に入出力される各種検出信号及び各種駆動信号の概略図である。パチンコ遊技機１の制御構成は、図１８に示すように、主基板１６００のグループ及び周辺基板１６１０のグループから構成されており、これら２つのグループにより各種制御が分担されている。まず、主基板１６００のグループについて説明し、続けて周辺基板１６１０のグループについて説明する。
【００７０】
［５−１．主基板のグループ］
主基板１６００のグループは、図１８に示すように、主制御基板１７００、払出制御基板７１５を備えて構成されている。
【００７１】
［５−１−１．主制御基板］
主制御基板１７００は、図１８に示すように、マイクロプロセッサとしての主制御ＭＰＵ１７００ａ、入出力デバイス（Ｉ／Ｏデバイス）としての主制御Ｉ／Ｏポート１７００ｂ、上述したＲＡＭクリアスイッチ２６８ａを備えて構成されている。主制御ＭＰＵ１７００ａには、各種処理プログラムや各種コマンドを記憶するＲＯＭと、一時的にデータを記憶するＲＡＭと、が内蔵されており、その動作（システム）を監視するウォッチドッグタイマや不正を防止するための機能等も内蔵されている。
【００７２】
主制御ＭＰＵ１７００ａは、上述した、上始動口スイッチ１３６０及び下始動口スイッチ１３７０からの検出信号が、主制御Ｉ／Ｏポート１７００ｂを介して入力され、また上述した、ゲートスイッチ１３００、左入賞口スイッチ１４６０、右入賞口スイッチ１４７０及びカウントスイッチ１４３０からの検出信号が、上述した遊技盤４に取り付けられたパネル中継基板１６５０、そして主制御Ｉ／Ｏポート１７００ｂを介して入力されており、これらの検出信号に基づいて、その詳細な説明については後述するが、上述した、開閉翼ソレノイド１３９０、開閉板ソレノイド１４２０への駆動信号を、主制御Ｉ／Ｏポート１７００ｂ、そしてパネル中継基板１６５０を介して出力し、上特別図柄表示器１４８０、下特別図柄表示器１４９０、上特別図柄記憶ランプ１５００ａ，１５００ｂ、下特別図柄記憶ランプ１５１０ａ，１５１０ｂ、普通図柄表示器１５２０、普通図柄記憶ランプ１５３０ａ〜１５３０ｄ、遊技状態表示ランプ１５４０、２ラウンド表示ランプ１５５０及び１５ラウンド表示ランプ１５６０への駆動信号を、主制御Ｉ／Ｏポート１７００ｂ、パネル中継基板１６５０を介して上述した機能表示基板１２２５ａに出力する（図１９参照）。
【００７３】
また主制御ＭＰＵ１７００ａは、遊技に関する各種情報（遊技情報）及び払い出しに関する各種コマンド等を、上述した主ドロワ中継基板６５７を介して払出制御基板７１５に送信したり、この払出制御基板７１５からのパチンコ遊技機１の状態に関する各種コマンド等を、主ドロワ中継基板６５７を介して受信したりする。更に主制御ＭＰＵ１７００ａは、遊技演出の制御に関する各種コマンド及びパチンコ遊技機１の状態に関する各種コマンドを、主制御Ｉ／Ｏポート１７００ｂを介して後述する周辺基板１６１０のサブ統合基板１７４０に送信したりする。なお、主制御ＭＰＵ１７００ａは、その詳細な説明は後述するが、払出制御基板７１５からパチンコ遊技機１の状態に関する各種コマンドを受信すると、これらの各種コマンドを整形してサブ統合基板１７４０に送信する。
【００７４】
主制御基板１７００には、その詳細な説明は後述するが、電源基板６８６から各種電圧が供給されている。この電源基板６８６は、電源遮断時にでも所定時間、主制御基板１７００に電力を供給するバックアップ電源としての電気二重層キャパシタ（以下、単に「キャパシタ」と記載する。）を備えている。このキャパシタにより主制御ＭＰＵ１７００ａは、電源遮断時にでも電源断時処理において各種情報をその内蔵するＲＡＭに記憶することができるようになっている。なお、記憶した各種情報は、電源投入時に主制御基板１７００のＲＡＭクリアスイッチ２６８ａが操作されると、その内容が内蔵するＲＡＭから消去（クリア）されるようになっている。このＲＡＭクリアスイッチ２６８ａの操作信号（検出信号）は、主ドロワ中継基板６５７を介して払出制御基板７１５にも出力されるようになっている。
【００７５】
また、主制御基板１７００には、その詳細な説明は後述するが、停電監視回路が設けられている。この停電監視回路は、電源基板６８６から供給される各種電圧の低下を監視しており、それらの電圧が停電予告電圧以下となると、停電予告として停電予告信号を出力するようになっている。この停電予告信号は、主制御Ｉ／Ｏポート１７００ｂを介して主制御ＭＰＵ１７００ａに入力される他に図示しないハーネスを介して払出制御基板７１５等にも伝達されている。
【００７６】
［５−１−２．払出制御基板］
払出制御基板７１５は、図１８に示すように、払い出しに関する各種制御を行う払出制御部１７１０、上述した発射モータ３４４の発射制御を行う発射制御部１７２０、上述した、エラーＬＥＤ表示器１７３０、エラー解除スイッチ１７３１、球抜きスイッチ１７３２を備えて構成されている。
【００７７】
［５−１−２（ａ）．払出制御部］
払出制御部１７１０は、図１８に示すように、マイクロプロセッサとしての払出制御ＭＰＵ１７１０ａ、Ｉ／Ｏデバイスとしての払出制御Ｉ／Ｏポート１７１０ｂ、払出制御ＭＰＵ１７１０ａが正常に動作しているか否かを監視する外部ウォッチドッグタイマ１７１０ｃ（以下、「外部ＷＤＴ１７１０ｃ」と記載する。）、上述した払出モータ４６５に駆動信号を出力する払出モータ駆動回路１７１０ｄを備えて構成されている。払出制御ＭＰＵ１７１０ａには、各種処理プログラムや各種コマンドを記憶するＲＯＭと、一時的にデータを記憶するＲＡＭと、が内蔵されており、不正を防止するための機能等も内蔵されている。
【００７８】
払出制御ＭＰＵ１７１０ａは、その詳細な説明は後述するが、主制御基板１７００からの遊技に関する各種情報（遊技情報）及び払い出しに関する各種コマンドを受信し、主制御基板１７００からのＲＡＭクリアスイッチ２６８ａの操作信号（検出信号）が入力される他に、満タンスイッチ５４５からの検出信号が入力され、球切れスイッチ４２６、計数スイッチ４６２及び回転角スイッチ５０５からの検出信号が賞球ユニット内中継端子板４８０を介して入力されている。
【００７９】
また、払出制御ＭＰＵ１７１０ａは、その詳細な説明は後述するが、主制御基板１７００からの払い出しに関する各種コマンドを受信すると、その受信した払い出しに関する各種コマンドに基づいて払出モータ駆動回路１７１０ｄから払出モータ４６５に駆動信号を出力したり、球抜きスイッチ１７３２が操作されると、この操作信号（検出信号）に基づいて上述した、賞球タンク４００及びタンクレール部材４１０に貯留された遊技球を排出する（球抜きする）ために払出モータ４６５への駆動信号を出力したり、図示しないＣＲユニットからの貸球要求信号がＣＲユニット端子板７００ｂを介して入力されると、この貸球要求信号に基づいて払出モータ４６５への駆動信号を出力したりする。
【００８０】
更に払出制御ＭＰＵ１７１０ａは、パチンコ遊技機１の状態をエラーＬＥＤ表示器１７３０に表示したり、その状態を示す各種コマンドを主制御基板１７００に送信したり、満タンスイッチ５４５からの検出信号が入力されると、この検出信号に基づいて払出モータ駆動回路１７１０ｄからの駆動信号を停止して払出モータ４６５を停止したり、計数スイッチ４６２からの検出信号が入力されると、この検出信号に基づいて実際に払い出した遊技球の球数を上述した外部端子板７００ａに出力したりする。この外部端子板７００ａは、遊技場（ホール）に設置されたホールコンピュータと接続されている。このホールコンピュータは、パチンコ遊技機１が払い出した遊技球の球数やパチンコ遊技機１の遊技情報等を把握することにより遊技者の遊技を監視している。
【００８１】
［５−１−２（ｂ）．発射制御部］
発射制御部１７２０は、図１８に示すように、各種スイッチからの検出信号等が入力される入力回路１７２０ａ、定時間ごとにクロック信号を出力する発振回路１７２０ｂ、このクロック信号に基づいて発射モータ３４４に駆動信号を出力する発射制御回路１７２０ｃ、発射モータ３４４に駆動信号を出力する発射モータ駆動回路１７２０ｄを備えて構成されている。発射制御回路１７２０ｃは、発振回路１７２０ｂからのクロック信号に基づいて、１分当たり約９９．９５個の遊技球が遊技領域２５５に向けて発射されるよう発射モータ３４４の回転速度を制御している。つまり、打球槌（図示せず）の可動を制御している。
【００８２】
なお、上述したハンドル装置７０（操作ハンドル部７１）には、上述したように、タッチスイッチ８０、発射停止スイッチ８２が内蔵されており、操作ハンドル部７１の回動操作部材に触れるとタッチスイッチ８０に内蔵された接触検出基板８０ａにより検出され、発射停止ボタン（図示せず）を操作すると発射停止スイッチ８２により検出される。これらの検出信号は、その詳細な説明は後述するが、上述したハンドル中継端子板７１ａを介して入力回路１７２０ａに入力されている。また、ＣＲユニットがＣＲユニット端子板７００ｂに電気的に接続されると、ＣＲ接続信号がＣＲユニット端子板７００ｂを介して入力回路１７２０ａに入力される。
【００８３】
払出制御基板７１５には、電源基板６８６から各種電圧が主制御基板１７００と同様に供給されている（図２０参照）。この電源基板６８６は、電源遮断時にでも所定時間、払出制御基板７１５に電力を供給するキャパシタを備えている。このキャパシタにより払出制御ＭＰＵ１７１０ａは電源遮断時にでも払い出しに関する各種の払出情報をその内蔵するＲＡＭに記憶することができるようになっている。なお、記憶した払出情報は、電源投入時に主制御基板１７００のＲＡＭクリアスイッチ２６８ａが操作されると、その内容が内蔵するＲＡＭから消去（クリア）されるようになっている。
【００８４】
［５−２．周辺基板のグループ］
周辺基板１６１０は、図１８に示すように、上述した、サブ統合基板１７４０、液晶制御基板１７５０を備えて構成されている。
【００８５】
［５−２−１．サブ統合基板］
サブ統合基板１７４０は、図１８に示すように、マイクロプロセッサとしてのサブ統合ＭＰＵ１７４０ａ、各種処理プログラムや各種コマンドを記憶するサブ統合ＲＯＭ１７４０ｂ、高音質の演奏を行う音源ＩＣ１７４０ｃ、この音源ＩＣ１７４０ｃが参照する音楽及び効果音等の音情報が記憶されている音ＲＯＭ１７４０ｄを備えて構成されている。
【００８６】
サブ統合ＭＰＵ１７４０ａは、パラレル入出力ポート及びシリアル入出力ポート等の各種入出力ポートを内蔵しており、主制御基板１７００から各種コマンドを受信すると、この各種コマンドに基づいて扉枠装飾ランプ５ａａ，５ｂ〜５ｈに点灯信号又は点滅信号を、ランプ駆動基板１７６０、そして上述した副ドロワ中継基板６５８を介して出力したり、演出ランプ１２３０，１５７０に点灯信号又は点滅信号を、ランプ駆動基板１７６０を介して出力したり、階調ランプ１２４０に階調点灯信号を、ランプ駆動基板１７６０を介して出力したり、上あご可動体の可動機構を備えた上あご可動装置１７７０及び下あご可動体の可動機構を備えた下あご可動装置１７８０に駆動信号を、ランプ駆動基板１７６０を介してそれぞれ出力したり、演出に関する演出コマンドを作成したりする。この演出コマンドは、音源ＩＣ１７４０ｃ及び液晶制御基板１７５０に出力されている。
【００８７】
またサブ統合ＭＰＵ１７４０ａには、上あご可動体の原位置検出信号及び下あご可動体の原位置検出信号が上あご可動装置１７７０及び下あご可動装置１７８０からランプ駆動基板１７６０を介してそれぞれ入力されている。更にサブ統合ＭＰＵ１７４０ａには、液晶制御基板１７５０が正常動作している旨を伝える信号（動作信号）が液晶制御基板１７５０から入力され、上述した演出選択スイッチ３１からの演出選択信号（検出信号）が副ドロワ中継基板６５８、そしてランプ駆動基板１７６０を介して入力されている。
【００８８】
音源ＩＣ１７４０ｃは、サブ統合ＭＰＵ１７４０ａから出力された演出コマンドに基づいて音ＲＯＭ１７４０ｄから音情報を読み込み、ランプ駆動基板１７６０、そして副ドロワ中継基板６５８を介して上述したスピーカ３４から各種演出に合わせた音楽及び効果音等が流れるよう制御を行う。
【００８９】
［５−２−２．液晶制御基板］
液晶制御基板１７５０は、図１８に示すように、マイクロプロセッサとしての液晶制御ＭＰＵ１７５０ａ、各種処理プログラムや各種コマンドを記憶する液晶制御ＲＯＭ１７５０ｂ、上述した液晶表示器１３１５を表示制御するＶＤＰ（Ｖｉｄｅｏ Ｄｉｓｐｌａｙ Ｐｒｏｃｅｓｓｏｒの略）１７５０ｃ、液晶表示器１３１５に表示する各種画像を記憶する画像ＲＯＭ１７５０ｄを備えて構成されている。
【００９０】
液晶制御ＭＰＵ１７５０ａは、サブ統合基板１７４０から上述した演出コマンドを受信すると、この演出コマンドに基づいてＶＤＰ１７５０ｃを制御する。このＶＤＰ１７５０ｃは、画像ＲＯＭ１７５０ｄから画像を読み出して液晶表示器１３１５の表示制御を行う。この液晶表示器１３１５にはバックライト（冷陰極管）が内蔵されている。このバックライトはインバータ基板１７５５によって点灯されている。なお、液晶制御ＭＰＵ１７５０ａは、上述したように、正常に動作していると、その旨を伝える動作信号をサブ統合基板１７４０に出力する。
【００９１】
［６．電源システム］
次に、パチンコ遊技機１に供給される電力について説明する。まず、上述した電源基板６８６について説明し、続いて各制御基板等に供給される電源について説明する。図２０はパチンコ遊技機の電源システムを示すブロック図である。
【００９２】
［６−１．電源基板］
電源基板６８６は、上述した電源線コネクタ６８８が図示しない電源コードと電気的に接続されており、この電源コードのプラグが島（以下、「パチンコ島設備」と記載する。）の電源コンセントに差し込まれている。上述した電源スイッチ６８７を操作すると、パチンコ島設備から供給されている電力が電源基板６８６に供給され、パチンコ遊技機１の電源投入を行うことができる。
【００９３】
電源基板６８６は、図２０に示すように、＋３４Ｖ作成回路６８６ａ、＋１８Ｖ作成回路６８６ｂ、＋９Ｖ作成回路６８６ｃを備えて構成されている。＋３４Ｖ作成回路６８６ａは、パチンコ島設備から供給されている交流２４ボルト（ＡＣ２４Ｖ）を整流して直流＋３４Ｖ（ＤＣ＋３４Ｖ、以下、「＋３４Ｖ」と記載する。本実施形態では、最大電流として６アンペア（Ａ）を流すことができる。）を作成する。＋１８Ｖ作成回路６８６ｂは、パチンコ島設備から供給されているＡＣ２４Ｖを整流して＋３４Ｖを作成し、作成した＋３４Ｖから直流＋１８Ｖ（ＤＣ＋１８Ｖ、以下、「＋１８Ｖ」と記載する。本実施形態では、最大電流として４Ａを流すことができる。）を作成する。＋９Ｖ作成回路６８６ｃは、＋１８Ｖ作成回路６８６ｂが作成した＋１８Ｖから直流＋９Ｖ（ＤＣ＋９Ｖ、以下、「＋９Ｖ」と記載する。本実施形態では、最大電流として０．４Ａを流すことができる。）を作成する。＋３４Ｖ作成回路６８６ａ、＋１８Ｖ作成回路６８６ｂ、＋９Ｖ作成回路６８６ｃがそれぞれ作成した電圧は、払出制御基板７１５に供給されている。
【００９４】
［６−２．各制御基板等に供給される電源］
次に、各制御基板等に供給される電源について説明する。電源基板６８６から供給される、＋３４Ｖ、＋１８Ｖ及び＋９Ｖは、図２０に示すように、払出制御基板７１５に供給され、主ドロワ中継基板６５７を介して主制御基板１７００に供給される。そして主制御基板１７００に供給された＋３４Ｖ、＋１８Ｖ及び＋９Ｖは、サブ統合基板１７４０に供給され、液晶制御基板１７５０及びランプ駆動基板１７６０にそれぞれ供給される。なお、液晶制御基板１７５０には、＋３４Ｖ及び＋１８Ｖがサブ統合基板１７４０を介して供給されている。ここでは、まず、払出制御基板７１５に供給される電源について説明し、続いて主制御基板１７００に供給される電源、サブ統合基板１７４０に供給される電源、液晶制御基板１７５０に供給される電源、ランプ駆動基板１７６０に供給される電源について説明する。
【００９５】
［６−２−１．払出制御基板に供給される電源］
払出制御基板７１５は、払出制御ＭＰＵ１７１０ａ等の他に、払出制御シリーズレギュレータ７１５ａも備えている。この払出制御シリーズレギュレータ７１５ａは、電源基板６８６から供給された＋９Ｖが入力されており、この＋９Ｖから払出制御基板７１５の基準電圧である直流＋５Ｖ（ＤＣ＋５Ｖ、以下、「＋５Ｖ」と記載する。）を作成する。この＋５Ｖは、図１８に示した、払出制御部１７１０の払出制御ＭＰＵ１７１０ａの他に、払出制御Ｉ／Ｏポート１７１０ｂ、外部ＷＤＴ１７１０ｃ、払出モータ駆動回路１７１０ｄや発射制御部１７２０の入力回路１７２０ａ、発射制御回路１７２０ｃ、発射モータ駆動回路１７２０ｄ等にも入力されている。
【００９６】
電源基板６８６から供給された＋３４Ｖは、払出モータ駆動回路１７１０ｄの他に、発射モータ駆動回路１７２０ｄに入力されており、図１８に示した払出モータ４６５及び発射モータ３４４等の駆動電源として使用されている。なお、電源基板６８６から供給された＋１８Ｖは、扉枠開放スイッチ３ａの他に、図１８に示した、本体枠開放スイッチ３ｂ、満タンスイッチ５４５、球切れスイッチ４２６、計数スイッチ４６２、回転角スイッチ５０５等に入力されている。
【００９７】
［６−２−２．主制御基板に供給される電源］
主制御基板１７００は、主制御ＭＰＵ１７００ａ等の他に、主制御シリーズレギュレータ１７００ｃ、停電監視回路１７００ｄも備えている。主制御シリーズレギュレータ１７００ｃは、払出制御基板７１５から供給された＋９Ｖが入力されており、この＋９Ｖから主制御基板１７００の基準電圧である＋５Ｖを作成する。この＋５Ｖは、主制御ＭＰＵ１７００ａの他に、図１８に示した、主制御Ｉ／Ｏポート１７００ｂ等にも入力されている。停電監視回路１７００ｄは、その詳細な説明は後述するが、払出制御基板７１５から供給された＋１８Ｖ及び＋９Ｖが入力されており、これら＋１８Ｖ及び＋９Ｖの停電又は瞬停の兆候を監視している。また停電監視回路１７００ｄは、電波検出スイッチ１７００ｅからの電波検出信号が入力されており、この電波検出信号を監視している。この電波検出スイッチ１７００ｅは、主制御シリーズレギュレータ１７００ｃの近傍に配置されており、主制御シリーズレギュレータ１７００ｃに高周波が照射されているか否かを検出するものである。
【００９８】
停電監視回路１７００ｄは、停電又は瞬停の兆候を検出すると、又は、電波検出スイッチ１７００ｅからの電波検出信号が入力されると、停電予告として停電予告信号を主制御ＭＰＵ１７００ａの他にサブ統合基板１７４０に出力する。また主制御基板１７００には主ドロワ中継基板６５７を介して停電予告信号が入力され、液晶制御基板１７５０にはサブ統合基板１７４０を介して停電予告信号が入力される。
【００９９】
払出制御基板７１５から供給された＋３４Ｖは、開閉翼ソレノイド１３９０の他に、図１８に示した開閉板ソレノイド１４２０等の駆動電源として使用されている。なお、払出制御基板７１５から供給された＋１８Ｖは、上始動口スイッチ１３６０の他に、図１８に示した、ゲートスイッチ１３００、左入賞口スイッチ１４６０等に入力されている。
【０１００】
なお、主制御基板１７００は活線故障防止回路１７００ｆを備えており、払出制御基板７１５から供給された＋３４Ｖ、＋１８及び＋９Ｖは活線故障防止回路１７００ｆに入力される。ここで「活線」とは、配線（ハーネス）に電流が流れている状態のことをいう。
【０１０１】
活線故障防止回路１７００ｆは、その詳細な説明は省略するが、電源スイッチ６８７を入れたままの状態で、つまり払出制御基板７１５から＋３４Ｖ、＋１８及び＋９Ｖが供給されたままの状態で、図１に示した遊技盤４を本体枠３に取り付けるときに、主ドロワ中継基板６５７に設けたドロワコネクタと、遊技盤４の中継端子板２６９に設けたドロワコネクタとの溶着を防止する回路である。
【０１０２】
［６−２−３．サブ統合基板に供給される電源］
サブ統合基板１７４０は、サブ統合ＭＰＵ１７４０ａ、音源ＩＣ１７４０ｃ等を備えている。サブ統合基板１７４０は、サブ統合ＭＰＵ１７４０ａの基準電圧である＋５Ｖと、音源ＩＣ１７４０ｃの基準電圧である直流＋３．３Ｖ（ＤＣ＋３．３Ｖ、以下、「＋３．３Ｖ」と記載する。）と、が液晶制御基板１７５０から供給されている。＋５Ｖは、サブ統合ＭＰＵ１７４０ａの他に、例えば図示しないバスバッファ回路にも入力されている。このバスバッファ回路は、サブ統合ＭＰＵ１７４０ａと図１８に示したサブ統合ＲＯＭ１７４０ｂとのバスライン用のインターフェイスとして使用されている。一方、＋３．３Ｖは、音源ＩＣ１７４０ｃの他に、例えば図１８に示した、サブ統合ＲＯＭ１７４０ｂ及び音ＲＯＭ１７４０ｄにも入力されている。
【０１０３】
主制御基板１７００を介して供給された＋１８Ｖは、例えば図１８に示したスピーカ３４から出力する音楽及び効果音等を増幅するパワーアンプに入力されている。なお、主制御基板１７００を介して供給された＋９Ｖは、ランプ駆動基板１７６０にそのまま出力されており、サブ統合基板１７４０では使用されていない。また、主制御基板１７００を介して供給された＋３４Ｖは、液晶制御基板１７５０及びランプ駆動基板１７６０にそのまま出力されており、サブ統合基板１７４０では使用されていない。
【０１０４】
［６−２−４．液晶制御基板に供給される電源］
液晶制御基板１７５０は、液晶制御ＭＰＵ１７５０ａ、ＶＤＰ１７５０ｃ等の他に、液晶制御電源回路１７５０ｅも備えている。この液晶制御電源回路１７５０ｅは、サブ統合基板１７４０を介して供給された＋１８Ｖが入力されており、この＋１８Ｖからサブ統合ＭＰＵ１７４０ａ等の基準電圧である＋５Ｖと、液晶制御基板１７５０等の基準電圧である＋３．３Ｖと、ＶＤＰ１７５０ｃの電源である直流＋１．５Ｖ（ＤＣ＋１．５Ｖ、以下、「＋１．５Ｖ」と記載する。）及び直流２．５Ｖ（ＤＣ＋２．５Ｖ、以下、「＋２．５Ｖ」と記載する。）と、を作成する。この＋３．３Ｖは、液晶制御ＭＰＵ１７５０ａの他に、ＶＤＰ１７５０ｃ、図１８に示した、液晶制御ＲＯＭ１７５０ｂ及び画像ＲＯＭ１７５０ｄ、液晶表示器１３１５を駆動する液晶ドライブ回路等にも入力されている。このように、ＶＤＰ１７５０ｃは、＋１．５Ｖ、＋２．５Ｖ及び＋３．３Ｖが入力されている。
【０１０５】
液晶制御電源回路１７５０ｅが作成した＋５Ｖ及び＋３．３Ｖは、サブ統合基板１７４０にも供給されており、これらの＋５Ｖ及び＋３．３Ｖは液晶制御基板１７５０及びサブ統合基板１７４０で共通に使用されている。
【０１０６】
サブ統合基板１７４０を介して供給された＋３４Ｖは、インバータ基板１７５５にそのまま出力されており、液晶制御基板１７５０では使用されていない。
【０１０７】
［６−２−５．インバータ基板に供給される電源］
インバータ基板１７５５は、図１８に示した液晶表示器１３１５のバックライトである冷陰極管を点灯させる冷陰極蛍光ランプ点灯回路１７５５ａを備えている。冷陰極蛍光ランプ点灯回路１７５５ａは、サブ統合基板１７４０を介して供給された＋３４Ｖが入力されている。
【０１０８】
［６−２−６．ランプ駆動基板に供給される電源］
ランプ駆動基板１７６０は、ランプ駆動シリーズレギュレータ１７６０ａ、階調制御ＩＣ１７６０ｂ、上あご可動装置駆動回路１７６０ｃを備えている。ランプ駆動シリーズレギュレータ１７６０ａは、サブ統合基板１７４０を介して供給された＋９Ｖが入力されており、この＋９Ｖからランプ駆動基板１７６０の基準電圧である＋５Ｖを作成する。この＋５Ｖは、図１８に示した階調ランプ１２４０の階調点灯を行う階調制御ＩＣ１７６０ｂ等に入力されている。サブ統合基板１７４０を介して供給された＋３４Ｖ、＋１８Ｖは、図１８に示した上あご可動装置１７７０の駆動制御を行う上あご可動装置駆動回路１７６０ｃ等に入力されている。例えば、＋３４Ｖは上あご可動体の図示しない駆動モータの駆動電源として使用され、＋１８Ｖは上あご可動体の原位置を検出する図示しないフォトセンサ等に入力されている。
【０１０９】
［７．電源基板のノイズ対策回路及びアース回路］
次に、電源基板６８６のアース回路について説明する。パチンコ島設備から供給されたＡＣ２４Ｖは、上述したように、電源線コネクタ６８８を介して電源基板６８６に入力されている。この電源基板６８６には、電源供給ラインであるＡＣ２４Ｖのライン間に現れるノーマルモードノイズと、ＡＣ２４Ｖとグランド（ＧＮＤ）との間に現れるコモンモードノイズと、の２種類のモードノイズに対する対策が設けられている。まず、電源基板６８６のノイズ対策回路について説明し、続いて電源基板６８６のアース回路について説明する。図２１は電源基板のノイズ対策回路及びアース回路を示す回路図である。
【０１１０】
［７−１．電源基板のノイズ対策］
パチンコ島設備から供給されるＡＣ２４Ｖは、図２１に示すように、電源線コネクタ６８８を介して、電源スイッチ６８７（本実施形態では、松下電工製：ＡＪ８２２１ＢＦ）の入力側端子１，３に入力されている。具体的には、電源スイッチ６８７の入力側端子３にはＡＣ２４ＶのＡライン（以下、「ＡＣ２４ＶＡ」と記載する。）が入力されており、電源スイッチ６８７の入力側端子１にはＡＣ２４ＶのＢライン（以下、「ＡＣ２４ＶＢ」と記載する。）が入力されている。電源スイッチ６８７の出力側端子２，４は、コモンモードノイズ対策用の回路であるコモンモードノイズ対策回路ＣＭＣ、そしてノーマルモードノイズ対策用の回路であるノーマルモードノイズ対策回路ＮＭＣを介して、チョークコイルＬ１（本実施形態では、ウエノ製：ＡＤＲ２５１５−０１０ＴＤＫ）に入力されている。
【０１１１】
コモンモードノイズ対策回路ＣＭＣは、コンデンサＣ１１０，Ｃ１１１、バリスタＺＮＲ１，ＺＮＲ２を備えて構成されている。コンデンサＣ１１０，Ｃ１１１はその容量が同一のものであり、コモンモードノイズを除去するものである。一方バリスタＺＮＲ１，ＺＮＲ２は、サージ吸収素子（サージアブソーバ）であり、そのバリスタ電圧が同一のものである。バリスタＺＮＲ１，ＺＮＲ２は、コンデンサＣ１１０，Ｃ１１１で低減できなかったスパイクノイズを除去するものである。
【０１１２】
ノーマルモードノイズ対策回路ＮＭＣは、コンデンサＣ１１２、バリスタＺＮＲ３を備えて構成されている。コンデンサＣ１１２は、ＡＣ２４ＶＡ、ＡＣ２４ＶＢに発生したノーマルモードノイズを除去するものである。バリスタＺＮＲ３は、サージ吸収素子（サージアブソーバ）であり、コンデンサＣ１１２で除去できなかったスパイクノイズを除去するものである。
【０１１３】
電源スイッチ６８７の出力側端子４から出力されたＡＣ２４ＶＡは、ＦＵＳＥ１、コモンモードノイズ対策回路ＣＭＣ、そしてノーマルモードノイズ対策回路ＮＭＣを介してチョークコイルＬ１に入力され、電源スイッチ６８７の出力側端子２から出力されたＡＣ２４ＶＢは、ＦＵＳＥ２、コモンモードノイズ対策回路ＣＭＣ、そしてノーマルモードノイズ対策回路ＮＭＣを介してチョークコイルＬ１に入力されている。チョークコイルＬ１は、ＡＣ２４ＶＡ、ＡＣ２４ＶＢのコモンモードノイズの対策部品であり、ノイズ障害を防止している。チョークコイルＬ１でコモンモードノイズが低減されたＡＣ２４ＶＡ、ＡＣ２４ＶＢは、上述した、＋３４Ｖ作成回路６８６ａ及び＋１８Ｖ作成回路６８６ｂに入力されている。なお、チョークコイルＬ１に入力されるＡＣ２４ＶＡ、ＡＣ２４ＶＢは、チョークコイルＬ１のほかにＣＲユニット電源線コネクタ６８９に入力されており、図示しないＣＲユニットにＡＣ２４ＶＡ、ＡＣ２４ＶＢが供給されている。
【０１１４】
［７−２．電源基板のアース回路］
電源基板６８６のアース用コネクタ６９０ａ〜６９０ｄには、扉枠５（補強板）からのノイズ等を除去するアース線がフレームグランドＦＧ３としてアース用コネクタ６９０ａと電気的に接続され、図３に示したタンクレール部材４１０を流下する球からのノイズ等を除去するアース線がフレームグランドＦＧ１としてアース用コネクタ６９０ｂと電気的に接続され、図３に示した賞球ユニット４５０からのノイズ等を除去するアース線がフレームグランドＦＧ１としてアース用コネクタ６９０ｃと電気的に接続され、図示しないＣＲユニットからのノイズ等を除去するアース線がフレームグランドＦＧとしてアース用コネクタ６９０ｄと電気的に接続されている。
【０１１５】
これらのフレームグランドＦＧ，ＦＧ１，ＦＧ３は、図２１に示すように、フレームグランドＦＧ３が抵抗Ｒ１１０を介して電源線コネクタ６８８のフレームグランドＦＧ２に電気的に接続され、フレームグランドＦＧ１が抵抗Ｒ１１１を介して電源線コネクタ６８８のフレームグランドＦＧ２に電気的に接続され、フレームグランドＦＧが抵抗Ｒ１１２を介して電源線コネクタ６８８のフレームグランドＦＧ２に電気的に接続されている。抵抗Ｒ１１０は、フレームグランドＦＧ１，ＦＧからのノイズ等がフレームグランドＦＧ３に侵入するのを阻止するものであり、抵抗Ｒ１１１は、フレームグランドＦＧ３，ＦＧからのノイズ等がフレームグランドＦＧ１に侵入するのを阻止するものであり、抵抗Ｒ１１２は、フレームグランドＦＧ３，ＦＧ１からのノイズ等がフレームグランドＦＧに侵入するのを阻止するものである。
【０１１６】
なお、パチンコ島設備から供給されたＡＣ２４ＶＢは、電源線コネクタ６８８と電源スイッチ６８７の入力側端子１との間でアレスタＤＳＰ１（本実施形態では、三菱マテリアル製：ＤＳＰ−３０１Ｎ−Ａ２１Ｆ）の一方と電気的に接続されている。アレスタＤＳＰ１の他方は電源線コネクタ６８８のフレームグランドＦＧ２と電気的に接続されている。アレスタＤＳＰ１は、例えば落雷によってパチンコ島設備から供給されるＡＣ２４ＶＢに高電圧（「サージ電圧」という。）が侵入した際に、そのサージ電圧を、電源線コネクタ６８８のフレームグランドＦＧ２にサージ電流として流すことによってサージ電圧を制限し、電源スイッチ６８７にサージ電圧がかからないようにしたり、電源スイッチ６８７をＯＮ／ＯＦＦすることによって一時的に生じる高電圧（サージ電圧）を、電源線コネクタ６８８のフレームグランドＦＧ２にサージ電流として流すことによってサージ電圧を制限し、電源スイッチ６８７にサージ電圧がかからないようにしたりしている。これにより、図２０に示した、払出制御基板７１５、主制御基板１７００等の各種制御基板をサージ電圧から保護することができ、サージ電圧による故障を防止している。
【０１１７】
なお、フレームグランドＦＧ２が接地されなかった場合には、アレスタＤＳＰ１を介して、パチンコ島設備の電源であるＡＣ２４ＶＢ側に電源基板６８６の放電経路が形成されるようになっており、例えば扉枠５が帯電しにくくなっている。これにより、扉枠５に遊技者が触れても、扉枠５からの静電放電による不快感を遊技者に与えることがない。
【０１１８】
［８．主制御基板の回路］
次に、図１８に示した主制御基板１７００の回路等について説明する。主制御基板１７００は、図２０に示したように、電源基板６８６から払出制御基板７１５を介して直流電源＋３４Ｖ、＋１８Ｖ、＋９Ｖが供給されている。これらの直流電源＋３４Ｖ、＋１８Ｖ、＋９Ｖは、まず上述した活線故障防止回路１７００ｆに入力されている。例えば、＋９Ｖは活線故障防止回路１７００ｆを介して主制御シリーズレギュレータ１７００ｃに入力されている。この主制御シリーズレギュレータ１７００ｃは入力された＋９Ｖから主制御基板１７００等の基準電圧である＋５Ｖを作成し、この＋５Ｖが主制御ＭＰＵ１７００ａ等に入力されている。また、＋９Ｖ及び＋１８Ｖは活線故障防止回路１７００ｆを介して停電監視回路１７００ｄに入力されている。この停電監視回路１７００ｄは、入力された＋１８Ｖ及び＋９Ｖの停電又は瞬停の兆候を監視している。
【０１１９】
［８−１．主制御シリーズレギュレータ］
主制御基板１７００は、図２２に示すように、主制御ＭＰＵ１７００ａ、主制御Ｉ／Ｏポート１７００ｂ、主制御シリーズレギュレータ１７００ｃ（本実施形態では、ローム製：ＢＡ５０ＢＣ０ＷＴ）の他に、周辺回路として、リセット信号を出力する主制御システムリセットＩＣ１（本実施形態では、ルネサス製：Ｍ５１９５３）、クロック信号を出力する主制御水晶発振器Ｘ１（本実施形態では、京セラ製：ＥＸＯ−３、２４メガヘルツ（ＭＨｚ））を備えて構成されている。
【０１２０】
主制御シリーズレギュレータ１７００ｃは、図２２に示すように、活線故障防止回路１７００ｆの＋９Ｖ用活線故障防止回路を介して電源入力端子であるＶＣＣ端子に＋９Ｖが入力されている。この＋９Ｖは、グランド（ＧＮＤ）と接地された電解コンデンサＣ１により、リップル（電圧に畳重された交流成分）が除去されて平滑化される。さらに、グランドと接地されたコンデンサＣ２により、電源基板６８６と主制御基板１７００との基板間に発生したノイズが除去される。また、この平滑化された＋９Ｖは、ＶＣＣ端子の他に、主制御シリーズレギュレータ１７００ｃのコントロール端子であるＣＴＬ端子にも入力されている。主制御シリーズレギュレータ１７００ｃは、そのＣＴＬ端子に＋９Ｖが入力されることにより、ＶＣＣ端子に入力された＋９Ｖから＋５Ｖを作成して出力端子であるＯＵＴ端子から出力する。ＯＵＴ端子とＶＣＣ端子との端子間にはダイオードＤ１（本実施形態では、１ＳＳ１３３）が設けられており、ダイオードＤ１のアノード端子とＯＵＴ端子とが電気的に接続され、ダイオードＤ１のカソード端子とＶＣＣ端子とが電気的に接続されている。ＶＣＣ端子とＯＵＴ端子との端子間が逆バイアスになったときにはダイオードＤ１を介してＶＣＣ端子側に入力されるようになっており、逆バイアスによる主制御シリーズレギュレータ１７００ｃの破壊を防止している。
【０１２１】
ＯＵＴ端子から出力される＋５Ｖは、グランドと接地された電解コンデンサＣ３によりリップルが除去されて平滑化されている。この平滑化された＋５Ｖは、主制御システムリセットＩＣ１、主制御水晶発振器Ｘ１、主制御ＭＰＵ１７００ａ、主制御Ｉ／Ｏポート１７００ｂ等、にそれぞれ入力されている。なお、接地端子であるＧＮＤ端子はグランドと接地されており、ＮＣ端子は外部と電気的に未接続の状態となっている。
【０１２２】
［８−２．主制御基板の周辺回路］
［８−２−１．主制御システムリセットＩＣ］
主制御シリーズレギュレータ１７００ｃのＯＵＴ端子から出力されて平滑化された＋５Ｖは、図２２に示すように、主制御システムリセットＩＣ１の電源端子に入力されている。主制御システムリセットＩＣ１は、主制御ＭＰＵ１７００ａ及び主制御Ｉ／Ｏポート１７００ｂにリセットをかけるものであり、遅延回路が内蔵されている。主制御システムリセットＩＣ１の遅延容量端子には、グランドと接地されたコンデンサＣ４が電気的に接続されており、このコンデンサＣ４の容量によって遅延回路による遅延時間を設定することができるようになっている。具体的には、主制御システムリセットＩＣ１は、電源端子に入力された＋５Ｖがしきい値（例えば、４．２５Ｖ）に達すると、遅延時間経過後に出力端子からシステムリセット信号を出力する。
【０１２３】
主制御システムリセットＩＣ１の出力端子は、主制御ＭＰＵ１７００ａのリセット端子であるＳＲＳＴ端子及び主制御Ｉ／Ｏポート１７００ｂのリセット端子であるＲＥＳＥＴＮ端子と電気的に接続されている。出力端子はオープンコレクタ出力タイプであり、プルアップ抵抗Ｒ１により＋５Ｖに引き上げられている。この＋５Ｖに引き上げられた電圧は、グランドと接地されたコンデンサＣ５によりリップルが除去されて平滑化されている（コンデンサＣ５は、ローパスフィルタとしての役割も担っている）。出力端子は、電源端子に入力される電圧がしきい値より大きいときにはプルアップ抵抗Ｒ１により＋５Ｖに引き上げられて論理がＨＩとなって主制御ＭＰＵ１７００ａのＳＲＳＴ端子及び主制御Ｉ／Ｏポート１７００ｂのＲＥＳＥＴＮ端子に入力され、一方、電源端子に入力される電圧がしきい値より小さいときには論理がＬＯＷとなって主制御ＭＰＵ１７００ａのＳＲＳＴ端子及び主制御Ｉ／Ｏポート１７００ｂのＲＥＳＥＴＮ端子に入力される。
【０１２４】
主制御ＭＰＵ１７００ａのＳＲＳＴ端子及び主制御Ｉ／Ｏポート１７００ｂのＲＥＳＥＴＮ端子は負論理入力であるため、電源端子に入力される電圧がしきい値より小さい状態になると、主制御ＭＰＵ１７００ａ及び主制御Ｉ／Ｏポート１７００ｂにリセットがかかる。なお、電源端子はグランドと接地されたコンデンサＣ６と電気的に接続されており、電源端子に入力される＋５Ｖはリップルが除去されて平滑化されている。また、接地端子はグラントと接地されており、ＮＣ端子は外部と電気的に未接続の状態となっている。
【０１２５】
［８−２−２．主制御水晶発振器］
主制御シリーズレギュレータ１７００ｃのＯＵＴ端子から出力されて平滑化された＋５Ｖは、図２２に示すように、主制御水晶発振器Ｘ１の電源端子であるＶＤＤ端子に入力されている。このＶＤＤ端子は、グランドと接地されたコンデンサＣ７と電気的に接続されており、ＶＤＤ端子に入力される＋５Ｖはさらにリップルが除去されて平滑化されている。また、この平滑化された＋５Ｖは、ＶＤＤ端子の他に、出力周波数選択端子であるＡ端子、Ｂ端子、Ｃ端子及びＳＴ端子にも入力されている。主制御水晶発振器Ｘ１は、これらのＡ端子、Ｂ端子、Ｃ端子及びＳＴ端子に＋５Ｖが入力されることにより、２４ＭＨｚのクロック信号を出力端子であるＦ端子から出力する。
【０１２６】
主制御水晶発振器Ｘ１のＦ端子は、主制御ＭＰＵ１７００ａのクロック端子であるＣＬＫ端子及び主制御Ｉ／Ｏポート１７００ｂのクロック端子であるＣＬＫ端子と電気的に接続されており、２４ＭＨｚのクロック信号が入力されている。なお、接地端子であるＧＮＤ端子はグランドと接地されており、Ｆ端子の分周波を出力するＤ端子は外部と電気的に未接続の状態となっている。
【０１２７】
［８−３．主制御基板で作成された電源］
主制御シリーズレギュレータ１７００ｃのＯＵＴ端子から出力されて平滑化された＋５Ｖは、図２２に示すように、主制御ＭＰＵ１７００ａの電源端子であるＶＤＤ端子及び主制御Ｉ／Ｏポート１７００ｂの電源端子であるＶＣＣ端子に入力されている。主制御ＭＰＵ１７００ａのＶＤＤ端子はグランドと接地されたコンデンサＣ８と電気的に接続され、主制御Ｉ／Ｏポート１７００ｂのＶＣＣ端子はグランドと接地されたコンデンサＣ９と電気的に接続されており、ＶＤＤ端子及びＶＣＣ端子に入力される＋５Ｖはさらにリップルが除去されて平滑化されている。主制御ＭＰＵ１７００ａの接地端子であるＶＳＳ端子はグランドと接地され、主制御Ｉ／Ｏポート１７００ｂの接地端子であるＧＮＤ端子はグランドと接地されている。また、主制御シリーズレギュレータ１７００ｃのＯＵＴ端子から出力されて平滑化された＋５Ｖは、停電監視回路１７００ｄ等にも入力されている。
【０１２８】
［８−４．主制御基板の各種入出力信号］
図２２に示したＲＡＭクリアスイッチ２６８ａ（本実施形態では、オムロン製：Ｂ３Ｆ−１０５２）の操作は、検出信号として主制御Ｉ／Ｏポート１７００ｂに入力されている。
【０１２９】
［８−４−１．ＲＡＭクリアスイッチからの検出信号］
ＲＡＭクリアスイッチ２６８ａの出力ピンとしての３番ピンは、図２２に示すように、主制御Ｉ／Ｏポート１７００ｂの入力ポートＰＥの５番ピンである入力ピンＰＥ５と電気的に接続されている。入力ピンＰＥ５は負論理入力とするため、ＲＡＭクリアスイッチ２６８ａの３番ピンと主制御Ｉ／Ｏポート１７００ｂの入力ピンＰＥ５との端子間の電圧はプルアップ抵抗Ｒ２により＋５Ｖに引き上げられている。この＋５Ｖに引き上げられた電圧は、グランドと接地されたコンデンサＣ１０によりリップルが除去されて平滑化されている（コンデンサＣ１０は、ローパスフィルタとしての役割も担っている）。ＲＡＭクリアスイッチ２６８ａが操作されないときにはプルアップ抵抗Ｒ２により＋５Ｖに引き上げられて論理がＨＩとなって主制御Ｉ／Ｏポート１７００ｂの入力ピンＰＥ５に入力され、一方、ＲＡＭクリアスイッチ２６８ａが操作されたときには論理がＬＯＷとなって主制御Ｉ／Ｏポート１７００ｂの入力ピンＰＥ５に入力される。なお、ＲＡＭクリアスイッチ２６８ａの１番ピン及び２番ピンはグランドと接地されており、４番ピンは３番ピンと電気的に接続されている。
【０１３０】
［８−４−２．その他の各種入出力信号］
主制御ＭＰＵ１７００ａのシリアルデータ入力端子であるＲＸ端子は、図１８に示した払出制御基板７１５からのシリアルデータが払主シリアルデータ受信信号として入力されている。一方、主制御ＭＰＵ１７００ａのシリアルデータ出力端子であるＴＸ端子から払出制御基板７１５に送信するシリアルデータが主払シリアルデータ送信信号として出力される。
【０１３１】
主制御Ｉ／Ｏポート１７００ｂの入力ポートＰＥ及び入力ポートＰＤの各入力ピンは、例えば、上述した入力ピンＰＥ５にはＲＡＭクリアスイッチ２６８ａからの検出信号が入力され、入力ピンＰＥ６には図２０に示した停電予告信号が入力され、入力ピンＰＥ７には上述した払主シリアルデータ受信信号の正常受信完了の旨を伝える払出制御基板７１５からの払主ＡＣＫ信号が入力され、入力ピンＰＤ０には上始動口スイッチ１３６０からの検出信号が入力される。
【０１３２】
一方、主制御ＭＰＵ１７００ａは、データバスを介して主制御Ｉ／Ｏポート１７００ｂの出力ポートＰＡ〜ＰＣの出力ピンから、例えば、出力ピンＰＢ５から図２０に示した停電監視回路１７００ｄに停電予告信号をクリアする停電クリア信号が出力され、出力ピンＰＢ６から上述した払主シリアルデータ受信信号の正常受信完了の旨を伝える主払ＡＣＫ信号が出力され、出力ピンＰＣ０〜ＰＣ５から図１８に示したサブ統合基板１７４０に各種コマンドが出力され、出力ピンＰＢ１から開閉翼ソレノイド１３９０への駆動信号が出力される。
【０１３３】
なお、主制御Ｉ／Ｏポート１７００ｂのデータ入出力端子Ｄ０〜Ｄ７と、主制御ＭＰＵ１７００ａのデータ入出力端子Ｄ０〜Ｄ７と、はデータバスを介して各種情報や各種信号のやり取りを行う。主制御ＭＰＵ１７００ａは、入力ポートＰＥ及びＰＤから各種信号を、データバスを介して読み込み、このデータバスを介して出力ポートＰＡ〜ＰＣから各種信号を出力する。
【０１３４】
［８−５．停電監視回路］
次に、図２０に示した停電監視回路１７００ｄについて説明する。主制御基板１７００には、図２０に示したように、払出制御基板７１５を介して＋３４Ｖ、＋１８Ｖ及び＋９Ｖが供給されており、＋１８Ｖ及び＋９Ｖが停電監視回路１７００ｄに入力されている。停電監視回路１７００ｄは、＋１８Ｖ及び＋９Ｖの停電又は瞬停の兆候を監視しており、停電又は瞬停の兆候を検出すると、停電予告として停電予告信号を、主制御ＭＰＵ１７００ａの他に、払出制御基板７１５及びサブ統合基板１７４０に出力する。また停電監視回路１７００ｄは、図２０に示した電波検出スイッチ１７００ｅからの電波検出信号が入力されており、この電波検出信号が入力されると、停電予告信号として主制御ＭＰＵ１７００ａの他に、払出制御基板７１５及びサブ統合基板１７４０に出力する。まず、停電監視回路の構成について説明し、続いて、＋１８Ｖの停電又は瞬停の監視、＋９Ｖの停電又は瞬停の監視、電波検出スイッチからの電波検出信号の監視について説明する。図２３は停電監視回路を示す回路図である。
【０１３５】
［８−５−１．停電監視回路の構成］
停電監視回路１７００ｄは、図２３に示すように、安定化電源回路ＩＣ２０（本実施形態では、日本電気製：μＰＣ１０９３）、コンパレータＩＣ２１（本実施形態では、新日本無線製：ＮＪＭ２９０３、オープンコレクタ出力タイプ）、インバータＩＣ２２（本実施形態では、東京芝浦電気製：ＴＣ７４ＨＣ０５、オープンコレクタ出力タイプ）、ＤタイプフリップフロップＩＣ２３（本実施形態では、東京芝浦電気製：ＴＣ７４ＨＣ７４）、トランジスタＴＲ２０（本実施形態では、２ＳＣ１８１５）を備えて構成されている。
【０１３６】
安定化電源回路ＩＣ２０の基準電圧入力端子であるＲＥＦ端子及びカソード端子であるＫ端子は、＋５Ｖと抵抗Ｒ２０を介して電気的に接続されており、この抵抗Ｒ２０によりＲＥＦ端子に入力される電流が制限されている。Ｋ端子はコンパレータＩＣ２１の比較基準電圧となるリファレンス電圧Ｖｒｅｆ（本実施形態では、２．４９５Ｖが設定されている。）を出力している。このリファレンス電圧Ｖｒｅｆは、グランドと接地されたコンデンサＣ２０によりリップル（電圧に畳重された交流成分）が除去されて平滑化されている（コンデンサＣ２０は、ローパスフィルタとしての役割も担っている）。なお、安定化電源回路ＩＣ２０のアノード端子であるＡ端子はグランド（ＧＮＤ）と接地されている。
【０１３７】
コンパレータＩＣ２１は、２つの電圧比較回路を備えており、その１つ（ＩＣ２１Ａ）は＋１８Ｖの監視電圧Ｖ１とリファレンス電圧Ｖｒｅｆとを比較するために用いられており、＋端子に＋１８Ｖの監視電圧Ｖ１が入力され、−端子にリファレンス電圧Ｖｒｅｆが入力されている。一方、残りの１つ（ＩＣ２１Ｂ）は＋９Ｖの監視電圧Ｖ２とリファレンス電圧Ｖｒｅｆとを比較するために用いられており、＋端子に＋９Ｖの監視電圧Ｖ２が入力され、−端子にリファレンス電圧Ｖｒｅｆが入力されている。これらの比較結果はＤタイプフリップフロップＩＣ２３に入力されている。このＤタイプフリップフロップＩＣ２３は、２つのＤタイプフリップフロップ回路を備えており、その１つ（ＩＣ２３Ａ）を本実施形態で用いている。なお、コンパレータＩＣ２１の電源端子に入力される＋５Ｖは、グランドと接地されたコンデンサＣ２１によりリップルが除去されて平滑化されている。また、ＤタイプフリップフロップＩＣ２３に入力される＋５Ｖは、グランドと接地されたコンデンサＣ２２によりリップルが除去されて平滑化されている。
【０１３８】
［８−５−２．＋１８Ｖの停電又は瞬停の監視］
＋１８Ｖの停電又は瞬停の監視は、上述したように、コンパレータＩＣ２１のＩＣ２１Ａが＋１８Ｖの監視電圧Ｖ１とリファレンス電圧Ｖｒｅｆとを比較することにより行われている。＋１８Ｖは、図２３に示すように、抵抗Ｒ２１，Ｒ２２による抵抗比によって電圧が分配され、グランドと接地されたコンデンサＣ２３によりリップルが除去されてＩＣ２１Ａの＋端子に入力されている（コンデンサＣ２３は、ローパスフィルタとしての役割も担っている）。抵抗Ｒ２１，Ｒ２２の値は、＋１８Ｖが停電又は瞬停した際に、その電圧が＋１８Ｖから落ち始めて予め設定した停電検知電圧Ｖ１ｐｆ（本実施形態では、１２．５３Ｖに設定されている。）となったときに、＋１８Ｖの監視電圧Ｖ１がリファレンス電圧Ｖｒｅｆと同値になるように設定されている。
【０１３９】
＋１８Ｖの電圧が停電検知電圧Ｖ１ｐｆより大きいときには、＋１８Ｖの監視電圧Ｖ１がリファレンス電圧Ｖｒｅｆより大きくなり、その結果として論理がＬＯＷとなる。このため、コンパレータＩＣ２１はオープンコレクタ出力タイプであるため、プルアップ抵抗Ｒ２３により＋５Ｖに引き上げられ、論理がＨＩとなり、グランドと接地されたコンデンサＣ２４によりリップルが除去されてＤタイプフリップフロップＩＣ２３のプリセット端子であるＰＲ端子に入力される（コンデンサＣ２４は、ローパスフィルタとしての役割も担っている）。このＰＲ端子が負論理入力であるため、＋１８Ｖの監視電圧Ｖ１がリファレンス電圧Ｖｒｅｆより大きいときには、ＤタイプフリップフロップＩＣ２３の出力端子である１Ｑ端子から主制御Ｉ／Ｏポート１７００ｂに停電予告信号が出力されない。
【０１４０】
一方、＋１８Ｖの電圧が停電検知電圧Ｖ１ｐｆより小さいときには、＋１８Ｖの監視電圧Ｖ１がリファレンス電圧Ｖｒｅｆより小さくなり、その結果として論理がＨＩとなる。このため、コンパレータＩＣ２１はオープンコレクタ出力タイプであるため、論理がＬＯＷとなり、グランドと接地されたコンデンサＣ２４によりリップルが除去されてＤタイプフリップフロップＩＣ２３のプリセット端子であるＰＲ端子に入力される。このＰＲ端子が負論理入力であるため、＋１８Ｖの監視電圧Ｖ１がリファレンス電圧Ｖｒｅｆより小さいときには、ＤタイプフリップフロップＩＣ２３の出力端子である１Ｑ端子から主制御Ｉ／Ｏポート１７００ｂに停電予告信号が出力される。
【０１４１】
［８−５−３．＋９Ｖの停電又は瞬停の監視］
＋９Ｖの停電又は瞬停の監視は、上述したように、コンパレータＩＣ２１のＩＣ２１Ｂが＋９Ｖの監視電圧Ｖ２とリファレンス電圧Ｖｒｅｆとを比較することにより行われている。＋９Ｖは、図２３に示すように、抵抗Ｒ２４，Ｒ２５による抵抗比によって電圧が分配され、グランドと接地されたコンデンサＣ２５によりリップルが除去されてＩＣ２１Ｂの＋端子に入力されている（コンデンサＣ２５は、ローパスフィルタとしての役割も担っている）。抵抗Ｒ２４，Ｒ２５の値は、＋９Ｖが停電又は瞬停した際に、その電圧が＋９Ｖから落ち始めて予め設定した停電検知電圧Ｖ２ｐｆ（本実施形態では、７．６４Ｖに設定されている。）となったときに、＋９Ｖの監視電圧Ｖ２がリファレンス電圧Ｖｒｅｆと同値になるように設定されている。＋９Ｖの電圧が停電検知電圧Ｖ２ｐｆより大きいときには、＋９Ｖの監視電圧Ｖ２がリファレンス電圧Ｖｒｅｆより大きくなり、その結果として論理がＬＯＷとなる。
【０１４２】
このため、コンパレータＩＣ２１はオープンコレクタ出力タイプであるため、プルアップ抵抗Ｒ２３により＋５Ｖに引き上げられ、論理がＨＩとなり、グランドと接地されたコンデンサＣ２４によりリップルが除去されてＤタイプフリップフロップＩＣ２３のプリセット端子であるＰＲ端子に入力される。このＰＲ端子が負論理入力であるため、＋９Ｖの監視電圧Ｖ２がリファレンス電圧Ｖｒｅｆより大きいときには、ＤタイプフリップフロップＩＣ２３の出力端子である１Ｑ端子から主制御Ｉ／Ｏポート１７００ｂに停電予告信号が出力されない。
【０１４３】
一方、＋９Ｖの電圧が停電検知電圧Ｖ２ｐｆより小さいときには、＋９Ｖの監視電圧Ｖ２がリファレンス電圧Ｖｒｅｆより小さくなり、その結果として論理がＨＩとなる。このため、コンパレータＩＣ２１はオープンコレクタ出力タイプであるため、論理がＬＯＷとなり、グランドと接地されたコンデンサＣ２４によりリップルが除去されてＤタイプフリップフロップＩＣ２３のプリセット端子であるＰＲ端子に入力される。このＰＲ端子が負論理入力であるため、＋９Ｖの監視電圧Ｖ２がリファレンス電圧Ｖｒｅｆより小さいときには、ＤタイプフリップフロップＩＣ２３の出力端子である１Ｑ端子から主制御Ｉ／Ｏポート１７００ｂに停電予告信号が出力される。
【０１４４】
なお、ＤタイプフリップフロップＩＣ２３のクリア端子であるＣＬＲ端子には、主制御ＭＰＵ１７００ａから、主制御Ｉ／Ｏポート１７００ｂを介して、停電クリア信号が入力されるようになっている。ＣＬＲ端子は負論理入力であるため、主制御ＭＰＵ１７００ａからの停電クリア信号は、主制御Ｉ／Ｏポート１７００ｂを介してその論理がＬＯＷとなってＣＬＲ端子に入力される。ＤタイプフリップフロップＩＣ２３は、ＣＬＲ端子に停電クリア信号が入力されると、ラッチ状態を解除するようになっており、このとき、プリセット端子であるＰＲ端子に入力された論理を反転して出力端子である１Ｑ端子から出力する。
【０１４５】
一方、主制御ＭＰＵ１７００ａからの停電クリア信号の出力が停止されると、主制御Ｉ／Ｏポート１７００ｂを介してその論理がＨＩとなってＣＬＲ端子に入力される。ＤタイプフリップフロップＩＣ２３は、ＣＬＲ端子に停電クリア信号が入力されないときには、ラッチ状態をセットするようになっており、ＰＲ端子に論理がＬＯＷとなって入力された状態をラッチする。なお、Ｄ入力端子である１Ｄ端子、クロック入力端子である１ＣＫ端子、接地端子であるＧＮＤ端子は、グランドと接地されている。また、１Ｑ端子の論理を反転した負論理１Ｑ端子は外部と電気的に未接続の状態となっている。
【０１４６】
［８−５−４．電波検出スイッチからの電波検出信号の監視］
次に、電波検出スイッチ１７００ｅからの電波検出信号の監視について説明する。電波検出スイッチ１７００ｅは＋１８Ｖと抵抗Ｒ２６を介して電気的に接続されており、この電圧が電波検出スイッチ１７００ｅと抵抗Ｒ２７を介してトランジスタＴＲ２０のベースに入力され、抵抗２７とトランジスタＴＲ２０ベースとの間にグランドと接地された抵抗２８が電気的に接続されている。また、トランジスタＴＲ２０のエミッタはグランドと接地され、トランジスタＴＲ２０のコレクタはプルアップ抵抗Ｒ２９により＋５Ｖに引き上げられてインバータＩＣ２２の入力端子と電気的に接続されている。このインバータＩＣ２２は、６つのインバータ回路を備えており、その１つ（ＩＣ２２Ａ）を本実施形態で用いている。なお、インバータＩＣ２２の電源端子に入力される＋５Ｖは、グランドと接地されたコンデンサＣ２６によりリップルが除去されて平滑化されている。
【０１４７】
抵抗Ｒ２７，Ｒ２８の値は、電波検出スイッチ１７００ｅが電波検出信号を出力しないとき、つまり高周波が照射されていないときに、トランジスタＴＲ２０がＯＮする状態となるように設定されている。トランジスタＴＲ２０がＯＮする状態では、トランジスタＴＲ２０のコレクタからトランジスタＴＲ２０のエミッタに電流が流れるため論理がＬＯＷとなってインバータＩＣ２２（ＩＣ２２Ａ）の入力端子に入力される。これにより、上述したように、インバータＩＣ２２はオープンコレクタ出力タイプであるため、プルアップ抵抗Ｒ２３により＋５Ｖに引き上げられ、論理がＨＩとなり、グランドと接地されたコンデンサＣ２４によりリップルが除去されてＤタイプフリップフロップＩＣ２３のプリセット端子であるＰＲ端子に入力される。このＰＲ端子が負論理入力であるため、電波検出スイッチ１７００ｅが電波検出信号を出力しないとき、つまり高周波が照射されていないときには、ＤタイプフリップフロップＩＣ２３の出力端子である１Ｑ端子から主制御Ｉ／Ｏポート１７００ｂに停電予告信号が出力されない。
【０１４８】
一方、電波検出スイッチ１７００ｅが電波検出信号を出力するとき、つまり高周波が照射されているときには、トランジスタＴＲ２０がＯＦＦする状態となる。トランジスタＴＲ２０がＯＦＦする状態では、トランジスタＴＲ２０のコレクタからトランジスタＴＲ２０のエミッタに電流が流れないためプルアップ抵抗Ｒ２９により＋５Ｖに引き上げられて論理がＨＩとなってインバータＩＣ２２（ＩＣ２２Ａ）の入力端子に入力される。これにより、上述したように、インバータＩＣ２２はオープンコレクタ出力タイプであるため、論理がＬＯＷとなり、グランドと接地されたコンデンサＣ２４によりリップルが除去されてＤタイプフリップフロップＩＣ２３のプリセット端子であるＰＲ端子に入力される。このＰＲ端子が負論理入力であるため、電波検出スイッチ１７００ｅが電波検出信号を出力するとき、つまり高周波が照射されているときには、ＤタイプフリップフロップＩＣ２３の出力端子である１Ｑ端子から主制御Ｉ／Ｏポート１７００ｂに停電予告信号が出力される。
【０１４９】
なお、主制御基板１７００から電波検出スイッチ１７００ｅを取り除いた場合には、トランジスタＴＲ２０がＯＦＦする状態となるため、トランジスタＴＲ２０のコレクタからトランジスタＴＲ２０のエミッタに電流が流れないためプルアップ抵抗Ｒ２９により＋５Ｖに引き上げられて論理がＨＩとなってインバータＩＣ２２（ＩＣ２２Ａ）の入力端子に入力される。これにより、上述したように、インバータＩＣ２２はオープンコレクタ出力タイプであるためプルアップ抵抗Ｒ２３により＋５Ｖに引き上げられ、論理がＨＩとなり、グランドと接地されたコンデンサＣ２４によりリップルが除去されてＤタイプフリップフロップＩＣ２３のプリセット端子であるＰＲ端子に入力される。このＰＲ端子が負論理入力であるため、電波検出スイッチ１７００ｅを主制御基板１７００から取り除いたときには、ＤタイプフリップフロップＩＣ２３の出力端子である１Ｑ端子から主制御Ｉ／Ｏポート１７００ｂに停電予告信号が出力される。このように、電波検出スイッチ１７００ｅを主制御基板１７００から取り除いたときには停電予告信号が常に出力される。
【０１５０】
［８−６．参考実施形態の主制御ＭＰＵ］
次に、本発明に対して参考実施形態となる主制御ＭＰＵ１７００ａについて説明する。主制御ＭＰＵ１７００ａは、図２４に示したように、ＣＰＵコア１７００ａａ、ＲＯＭ１７００ａｂ、ＲＡＭ１７００ａｃ、ＣＰＵ初期化手段１７００ａｄ、乱数ブロック１７００ａｆ等を内蔵するワンチップマイクロコンピュータである。
【０１５１】
ＣＰＵ初期化手段１７００ａｄは、ＣＰＵコア１７００ａａを初期化する。初期化要因には外部要因と内部要因とがあり、外部要因は主制御システムリセットＩＣ１によるものであり、内部要因は内蔵のＷＤＴ（ウォッチドッグタイマ）１７００ａｄａのタイムアップ、または指定領域外へのアクセスによるものである。乱数ブロック１７００ａｆは、乱数発生ブロック１７００ａｆｂと、ラッチ手段１７００ａｆａとからなり、０から６５５３５までの値を重複することなく一巡発生する乱数発生回路を構成する。さらに、乱数発生ブロック１７００ａｆｂは、乱数仕様選択機能１７００ａｆｂａと、乱数発生手段１７００ａｆｂｂと、乱数異常検出手段１７００ａｆｂｃと、乱数異常ステータス１７００ａｆｂｄとからなる。
【０１５２】
乱数仕様選択機能１７００ａｆｂａは、乱数起動機能とスタート値設定機能とからなり、ＲＯＭ１７００ａｂに記憶されたユーザープログラムにより条件が設定される。乱数起動機能には、乱数発生回路を使用するか未使用とするかを設定する。スタート値設定機能は、乱数発生回路を使用する場合、更新される最初の値を複数の方法の中から選択することができ、選択した方法に応じた値を設定する。本実施形態のスタート設定機能では、ワンチップマイクロコンピュータ毎に付された固有のＩＤナンバーをもとにした値と、システムリセット毎に変動するレジスタの値とが選択できるようになっている。乱数発生手段１７００ａｆｂｂは、乱数仕様選択機能１７００ａｆｂａで設定された値をもとに、演算して乱数値を更新する。
【０１５３】
乱数異常検出手段１７００ａｆｂｃは、乱数発生手段１７００ａｆｂｂによる乱数値の更新状況に異常がないかを検出する。ここで、乱数発生手段１７００ａｆｂｂは、乱数値を更新するクロックとして、第１発振器Ｘ１、または第２発振器Ｘ２のいずれかを選択することが可能である。第１発振器Ｘ１は、主制御ＭＰＵ１７００ａの動作を司るシステムクロックとして用いられるとともに、乱数発生手段１７００ａｆｂｂの、乱数値の更新にも使用される。一方、第２発振器Ｘ２は、乱数発生手段１７００ａｆｂｂの乱数値の更新にのみ使用される。乱数異常検出手段１７００ａｆｂｃは、乱数発生手段１７００ａｆｂｂに入力される発振器の動作状態を監視して、乱数発生手段１７００ａｆｂｂが正常に乱数値を更新しているか否かを判断する。
【０１５４】
乱数異常ステータス１７００ａｆｂｄは、乱数異常検出手段１７００ａｆｂｃが乱数異常と判断したときに、乱数異常フラグがセットされる。なお、乱数異常ステータス１７００ａｆｂｄにセットされた乱数異常フラグは、ユーザープログラムによる読み出し行為によりリセットされる。ラッチ手段１７００ａｆａは、ユーザープログラムにより乱数値を読み出すときに、乱数発生手段１７００ａｆｂｂから乱数値を取り出して保持する。
【０１５５】
［９．払出制御基板の回路］
次に、図１８に示した払出制御基板７１５の回路等について説明する。払出制御基板７１５は、図２０に示したように、電源基板６８６から直流電源＋３４Ｖ、＋１８Ｖ、＋９Ｖが供給されている。この＋９Ｖが払出制御シリーズレギュレータ７１５ａに入力されている。この払出制御シリーズレギュレータ７１５ａは入力された＋９Ｖから払出制御基板７１５等の基準電圧である＋５Ｖを作成し、この＋５Ｖが払出制御ＭＰＵ１７１０ａ等に入力されている。また払出制御基板７１５は、図１８に示したように、払出制御部１７１０及び発射制御部１７２０等を備えて構成されている。ここでは、まず払出制御シリーズレギュレータについて説明し、続けて払出制御部の回路、払出制御基板で作成された電源、払出制御基板における各種入出力信号、発射制御部の回路について説明する。
【０１５６】
図２５は払出制御部の回路等を示す回路図であり、図２６はドライブＩＣの等価回路を示す回路図であり、図２７はエラー解除スイッチ等の入力回路を示す回路図であり、図２８は主制御基板との各種入出力信号及び外部端子板への各種出力信号を示す入出力図であり、図２９は発射制御部の入力回路を示す回路図であり、図３０は払出制御基板の実装図であり、図３１は発射制御部の発信回路等を示す回路図である。
【０１５７】
［９−１．払出制御シリーズレギュレータＩＣ］
払出制御シリーズレギュレータＩＣ７１５ａ（本実施形態では、ローム製：ＢＡ５０ＢＣ０ＷＴ）は、図２５に示すように、電源入力端子であるＶＣＣ端子に＋９Ｖが入力されている。この＋９Ｖは、電源基板６８６により供給されており、払出制御基板７１５に入力されると、まずグランド（ＧＮＤ）と接地された電解コンデンサＣ５０により、リップル（電圧に畳重された交流成分）が除去されて平滑化される。さらに、グランドと接地されたコンデンサＣ５１により、電源基板６８６と払出制御基板７１５との基板間に発生したノイズが除去される。また、この平滑化された＋９Ｖは、ＶＣＣ端子の他に、払出制御シリーズレギュレータＩＣ７１５ａのコントロール端子であるＣＴＬ端子にも入力されている。払出制御シリーズレギュレータＩＣ７１５ａは、そのＣＴＬ端子に＋９Ｖが入力されることにより、ＶＣＣ端子に入力された＋９Ｖから＋５Ｖを作成して出力端子であるＯＵＴ端子から出力する。
【０１５８】
ＯＵＴ端子とＶＣＣ端子との端子間にはダイオードＤ５０（本実施形態では、１ＳＳ１３３）が設けられており、ダイオードＤ５０のアノード端子とＯＵＴ端子とが電気的に接続され、ダイオードＤ１のカソード端子とＶＣＣ端子とが電気的に接続されている。ＶＣＣ端子とＯＵＴ端子との端子間が逆バイアスになったときにはダイオードＤ５０を介してＶＣＣ端子側に入力されるようになっており、逆バイアスによる払出制御シリーズレギュレータＩＣ７１５ａの破壊を防止している。
【０１５９】
ＯＵＴ端子から出力される＋５Ｖは、グランドと接地された電解コンデンサＣ５２によりリップルが除去されて平滑化されている。この平滑化された＋５Ｖは、払出制御部１７１０、発射制御部１７２０等にそれぞれ入力されている。なお、接地端子であるＧＮＤ端子はグランドと接地されており、ＮＣ端子は外部と電気的に未接続の状態となっている。
【０１６０】
［９−２．払出制御部の回路］
払出制御部１７１０は、図２５に示すように、払出制御ＭＰＵ１７１０ａ、払出制御Ｉ／Ｏポート１７１０ｂ、外部ＷＤＴ１７１０ｃ（本実施形態では、ミツミ製：ＭＭ１０７５ＸＤ）、払出モータ駆動回路１７１０ｄの他に、周辺回路として、払出制御水晶発振器Ｘ５０（本実施形態では、エプソントヨコム製：ＳＧ−５３１Ｐ、８メガヘルツ（ＭＨｚ））を備えて構成されている。
【０１６１】
［９−２−１．外部ＷＤＴ（外部ウォッチドッグタイマ）］
払出制御シリーズレギュレータＩＣ７１５ａのＯＵＴ端子から出力されて平滑化された＋５Ｖは、図２５に示すように、外部ＷＤＴ１７１０ｃのＶｃｃ端子に入力されている。外部ＷＤＴ１７１０ｃは、払出制御ＭＰＵ１７１０ａにリセットをかけるものである。外部ＷＤＴ１７１０ｃは、Ｖｃｃ端子に入力された＋５Ｖの電圧を監視する機能と、払出制御ＭＰＵ１７１０ａが正常に動作しているか否かを監視する機能と、を有しており、Ｖｃｃ端子に入力された＋５Ｖの電圧がしきい値（本実施形態では、４．２Ｖに設定されている。）に達すると、負論理ＲＥＳＥＴ端子からリセット信号を出力したり、外部ＷＤＴ１７１０ｃのＣＫ端子に払出制御ＭＰＵ１７１０ａから払出制御Ｉ／Ｏポート１７１０ｂを介して外部ＷＤＴクリア信号がクリア信号解除時間内に入力されないと、負論理ＲＥＳＥＴ端子からリセット信号を出力したりする。
【０１６２】
外部ＷＤＴ１７１０ｃのＴＣ端子はグランドと接地されたコンデンサＣ５３が電気的に接続されており、外部ＷＤＴ１７１０ｃのＲＣＴ端子は＋５Ｖに引き上げられたプルアップ抵抗Ｒ５０が電気的に接続されている。上述したクリア信号解除時間は、コンデンサＣ５３の容量と、プルアップ抵抗Ｒ５０の抵抗値と、によって設定することができる。なお、本実施形態では、クリア信号解除時間として払出制御ＭＰＵ１７１０ａの割り込みタイマ（１．７５ｍｓ）の２０回分に相当する時間３５ｍｓ（＝１．７５ｍｓ×２０回）が設定されている。
【０１６３】
外部ＷＤＴ１７１０ｃの負論理ＲＥＳＥＴ端子は、払出制御ＭＰＵ１７１０ａのリセット端子であるＲＳＴ０端子及び払出制御Ｉ／Ｏポート１７１０ｂのリセット端子であるＲＥＳＥＴＮ端子と電気的に接続されている。負論理ＲＥＳＥＴ端子はオープンコレクタ出力タイプであり、プルアップ抵抗Ｒ５１により＋５Ｖに引き上げられている。この＋５Ｖに引き上げられた電圧は、グランドと接地されたコンデンサＣ５４によりリップルが除去されて平滑化されている（コンデンサＣ５４は、ローパスフィルタとしての役割も担っている）。負論理ＲＥＳＥＴ端子は、Ｖｃｃ端子に入力される電圧がしきい値より大きいときにはプルアップ抵抗Ｒ５０により＋５Ｖに引き上げられて論理がＨＩとなって払出制御ＭＰＵ１７１０ａのＲＳＴ０端子及び払出制御Ｉ／Ｏポート１７１０ｂのＲＥＳＥＴＮ端子に入力され、一方、電源端子に入力される電圧がしきい値より小さいときには論理がＬＯＷとなって払出制御ＭＰＵ１７１０ａのＲＳＴ０端子及び払出制御Ｉ／Ｏポート１７１０ｂのＲＥＳＥＴＮ端子に入力される。
【０１６４】
また負論理ＲＥＳＥＴ端子は、ＣＫ端子に入力される外部ＷＤＴクリア信号がクリア信号解除時間内にＯＮからＯＦＦに切り替わって外部ＷＤＴクリア信号が解除されたときにはプルアップ抵抗Ｒ５１により＋５Ｖに引き上げられて論理がＨＩとなって払出制御ＭＰＵ１７１０ａのＲＳＴ０端子及び払出制御Ｉ／Ｏポート１７１０ｂのＲＥＳＥＴＮ端子に入力され、一方、ＣＫ端子に入力される外部ＷＤＴクリア信号がクリア信号解除時間内にＯＮされたまま外部ＷＤＴクリア信号が解除されなかったときには論理がＬＯＷとなって払出制御ＭＰＵ１７１０ａのＲＳＴ０端子及び払出制御Ｉ／Ｏポート１７１０ｂのＲＥＳＥＴＮ端子に入力される。
【０１６５】
払出制御ＭＰＵ１７１０ａのＲＳＴ０端子は負論理入力であるため、Ｖｃｃ端子に入力される電圧がしきい値より小さい状態となったり、ＣＫ端子に入力される外部ＷＤＴクリア信号がクリア信号解除時間内にＯＮされたまま外部ＷＤＴクリア信号が解除されなかったときには、払出制御ＭＰＵ１７１０ａ及び払出制御Ｉ／Ｏポート１７１０ｂにリセットがかかる。なお、外部ＷＤＴ１７１０ｃのＶｓ端子には、グランドと接地されたコンデンサＣ５５が電気的に接続されており、Ｖｃｃ端子にはグランドと接地されたコンデンサＣ５６が電気的に接続されている。このコンデンサＣ５６によってＶｃｃ端子に入力される＋５Ｖはリップルが除去されて平滑化されている。また、外部ＷＤＴ１７１０ｃの接地端子であるＧＮＤ端子はグラントと接地されており、外部ＷＤＴ１７１０ｃの正論理ＲＥＳＥＴ端子は外部と電気的に未接続の状態となっている。
【０１６６】
［９−２−２．払出制御水晶発振器］
払出制御シリーズレギュレータＩＣ７１５ａのＯＵＴ端子から出力されて平滑化された＋５Ｖは、図２５に示すように、払出制御水晶発振器Ｘ５０の電源端子であるＶＣＣ端子に入力されている。このＶＣＣ端子は、グランドと接地されたコンデンサＣ５７と電気的に接続されており、ＶＣＣ端子に入力される＋５Ｖはさらにリップルが除去されて平滑化されている。また、この平滑化された＋５Ｖは、ＶＣＣ端子の他に、払出制御水晶発振器Ｘ５０の出力許可（Ｏｕｔｐｕｔ Ｅｎａｂｌｅ）端子であるＯＥ端子にも入力されている。払出制御水晶発振器Ｘ５０は、そのＯＥ端子に＋５Ｖが入力されることにより、８ＭＨｚのクロック信号を出力端子であるＯＵＴ端子から出力する。
【０１６７】
払出制御水晶発振器Ｘ５０のＯＵＴ端子は、払出制御ＭＰＵ１７１０ａのクロック端子であるＭＣＬＫ端子及び払出制御Ｉ／Ｏポート１７１０ｂのクロック端子であるＣＬＫ端子と電気的に接続されており、８ＭＨｚのクロック信号が払出制御ＭＰＵ１７１０ａ及び払出制御Ｉ／Ｏポート１７１０ｂに入力されている。
【０１６８】
［９−２−３．払出モータ駆動回路］
払出モータ駆動回路１７１０ｄは、図２５に示すように、ドライブＩＣ５０（本実施形態では、東京芝浦電気製：ＭＰ４３０３）を備えて構成されている。このドライブＩＣ５０は、４つのダーリントンパワートランジスタを備えており、本実施形態では、エミッタ端子をグランドと接地させ、ベース端子に払出モータ駆動信号が入力されると、対応するコレクタ端子から励磁信号である駆動パルスが出力されるようになっている。
【０１６９】
電源基板６８６から供給された＋３４Ｖは、図２５に示すように、ツェナーダイオードＺＤ５１（本実施形態では、ＨＺ３６ＢＰＴＫ−Ｅ）を介してドライブＩＣ５０のカソード端子に入力されている。ツェナーダイオードＺＤ５１のアノード端子は＋３４Ｖと電気的に接続されており、ツェナーダイオードＺＤ５１のカソード端子がドライブＩＣ５０のカソード端子と電気的に接続されている。ドライブＩＣ５０のカソード端子に入力された＋３４Ｖは、払出モータ４６５の駆動電源となる。ドライブＩＣ５０のベース端子は、払出制御Ｉ／Ｏポート１７１０ｂの出力ポートＰＢの出力ピンＰＢ０〜ＰＢ３と電気的に接続されており、出力ピンＰＢ０〜ＰＢ３から出力された払出モータ駆動信号に応じて対応するコレクタ端子から励磁信号である駆動パルスが抵抗Ｒ５２〜Ｒ５５、賞球ユニット用端子７１７、そして賞球ユニット内中継端子板４８０を介して払出モータ４６５の各相（／Ｂ相、Ｂ相、Ａ相、／Ａ相）に出力される。
【０１７０】
これらの駆動パルスは、払出モータ４６５の各相（／Ｂ相、Ｂ相、Ａ相、／Ａ相）に流す励磁電流のスイッチングにより行われ、払出モータ４６５を回転させる。なお、このスイッチングにより各相（／Ｂ相、Ｂ相、Ａ相、／Ａ相）の駆動パルス（励磁信号）を遮断したときには逆起電力が発生する。この逆起電力がドライブＩＣ５０の耐圧を超えると、ドライブＩＣ５０が破損するため、保護としてドライブＩＣ５０のカソード端子とツェナーダイオードＺＤ５１のカソード端子とを電気的に接続している。
【０１７１】
［９−２−３（ａ）．ドライブＩＣの吸収する熱］
ドライブＩＣ５０は、上述したように、４つのダーリントンパワートランジスタを備えており、本実施形態では、エミッタ端子をグランドと接地させ、ベース端子に払出モータ駆動信号が入力されると、対応するコレクタ端子から励磁信号である駆動パルスが出力されるようになっている。ドライブＩＣ５０は、図２６に示すように、ダーリントンパワートランジスタＰＴｒ１〜ＰＴｒ４と、フライバック電圧吸収用ダイオードＦＢＤ１〜ＦＢＤ４と、を同一のパッケージに内蔵している。
【０１７２】
ダーリントンパワートランジスタＰＴｒ１〜ＰＴｒ４は、ダーリントン接続された２つのトランジスタ、抵抗及びダイオードが電気的に回路接続されてチップ化されている。ダーリントンパワートランジスタＰＴｒ１〜ＰＴｒ４のコレクタ端子は、＋３４Ｖに接続されたフライバック電圧吸収用ダイオードＦＢＤ１〜ＦＢＤ４に電気的に回路接続されている。フライバック電圧吸収用ダイオードＦＢＤ１〜ＦＢＤ４は、払出モータ４６５の各相（／Ｂ相、Ｂ相、Ａ相、／Ａ相）に駆動パルス（励磁信号）が遮断されたときに発生する逆起電力を熱に変換して除去することによって、ダーリントンパワートランジスタＰＴｒ１〜ＰＴｒ４を保護しており、フライバック電圧吸収用ダイオードＦＢＤ１及びＦＢＤ２が一対となってチップ化され、フライバック電圧吸収用ダイオードＦＢＤ３及びＦＢＤ４が一対となってチップ化されている。
【０１７３】
このように、ドライブＩＣ５０のパッケージは、払出モータ４６５の各相（／Ｂ相、Ｂ相、Ａ相、／Ａ相）に駆動パルス（励磁信号）を出力するダーリントンパワートランジスタＰＴｒ１〜ＰＴｒ４による発熱と、払出モータ４６５の各相（／Ｂ相、Ｂ相、Ａ相、／Ａ相）からの逆起電力を熱に変換するフライバック電圧吸収用ダイオードＦＢＤ１〜ＦＢＤ４による発熱と、を吸収し、この吸収した熱を外気（ドライブＩＣ５０の周囲）に逃がしている。
【０１７４】
ところが、上述したように、払出制御基板７１５を収納する払出制御基板ボックス６５５、パチンコ遊技機１の最大の熱源である電源基板６８６を収納する電源基板ボックス６５３等は、枠用基板ホルダー６５１の後面側に前後方向に重複して取り付けられている。このため、払出制御基板７１５は電源基板６８６から発せられる熱を少なからず吸収していることとなる。また、払出制御基板ボックス６５５のカバー体等はパチンコ島設備内に露出した状態となっており、パチンコ島設備は他のパチンコ遊技機と背向で列設されているためパチンコ遊技機の電源基板や各種制御基板等から発せられる熱によってパチンコ島設備内の温度が高くなっている。
【０１７５】
このように、ダーリントンパワートランジスタＰＴｒ１〜ＰＴｒ４及びフライバック電圧吸収用ダイオードＦＢＤ１〜ＦＢＤ４による発熱を、ドライブＩＣ５０のパッケージが吸収しても、ドライブＩＣ５０の周囲、つまり外気の温度が高くなっている状態では、その吸収した熱を外気に逃がす効率が低下するため、ドライブＩＣ５０のパッケージに熱が蓄えられることとなる。そうすると、ドライブＩＣ５０のパッケージの温度が高くなって、ダーリントンパワートランジスタＰＴｒ１〜ＰＴｒ４の接合温度がジャンクション温度まで高くなると、ダーリントンパワートランジスタＰＴｒ１〜ＰＴｒ４が故障することとなる。
【０１７６】
［９−２−３（ｂ）．払出モータ駆動信号の出力する順番］
そこで、本実施形態では、払出モータ４６５の各相（／Ｂ相、Ｂ相、Ａ相、／Ａ相）に出力する駆動パルス（励磁信号）の順番として、Ａ相、Ｂ相、／Ａ相そして／Ｂ相となるように、ドライブＩＣ５０のベース端子に払出モータ駆動信号が入力されるようになっている。これにより、フライバック電圧吸収用ダイオードＦＢＤ１〜ＦＢＤ４が払出モータ４６５の各相（／Ｂ相、Ｂ相、Ａ相、／Ａ相）からの逆起電力を熱に変換する順番も、ＦＢＤ１、ＦＢＤ３、ＦＢＤ２そしてＦＢＤ４となる。そうすると、上述した、フライバック電圧吸収用ダイオードＦＢＤ１及びＦＢＤ２が一対となったチップと、フライバック電圧吸収用ダイオードＦＢＤ３及びＦＢＤ４が一対となったチップと、が交互に発熱することとなる。このように交互に発熱する場合と、払出モータ４６５の各相（／Ｂ相、Ｂ相、Ａ相、／Ａ相）に出力する駆動パルス（励磁信号）の順番として、Ａ相、／Ａ相、Ｂ相そして／Ｂ相、つまり、フライバック電圧吸収用ダイオードＦＢＤ１〜ＦＢＤ４が払出モータ４６５の各相（／Ｂ相、Ｂ相、Ａ相、／Ａ相）からの逆起電力を熱に変換する順番としてＦＢＤ１、ＦＢＤ２、ＦＢＤ３そしてＦＢＤ４とする場合と、を比べると、交互に発熱する場合の方がフライバック電圧吸収用ダイオードＦＢＤ１及びＦＢＤ２が一対となったチップの発熱又はフライバック電圧吸収用ダイオードＦＢＤ３及びＦＢＤ４が一対となったチップの発熱を小さく抑えることができ、ドライブＩＣ５０のパッケージの温度上昇の低減に寄与することができる。したがって、熱によるダーリントンパワートランジスタＰＴｒ１〜ＰＴｒ４の故障を防止することができる。
【０１７７】
なお、本実施形態では、払出モータ４６５の各相（／Ｂ相、Ｂ相、Ａ相、／Ａ相）に出力する駆動パルス（励磁信号）の順番として、Ａ相、Ｂ相、／Ａ相そして／Ｂ相となるようにプログラムしているが、例えば、図２５に示した、ドライブＩＣ５０のコレクタ端子である４番ピン及び９番ピンを、賞球ユニット端子７１７側で互いに入れ代えるように予め配線しておくことによって、払出モータ４６５の各相（／Ｂ相、Ｂ相、Ａ相、／Ａ相）に出力する駆動パルス（励磁信号）の順番として、Ａ相、／Ａ相、Ｂ相そして／Ｂ相となるようにプログラムしても、賞球ユニット端子７１７側でその順番がＢ相、／Ａ相、Ａ相そして／Ｂ相となり、フライバック電圧吸収用ダイオードＦＢＤ３及びＦＢＤ４が一対となったチップと、フライバック電圧吸収用ダイオードＦＢＤ１及びＦＢＤ２が一対となったチップと、が交互に発熱することができる。
【０１７８】
［９−３．払出制御基板で作成された電源］
払出制御シリーズレギュレータＩＣ７１５ａのＯＵＴ端子から出力されて平滑化された＋５Ｖは、図２５に示すように、払出制御ＭＰＵ１７１０ａの電源端子であるＶＤＤ端子及び払出制御Ｉ／Ｏポート１７１０ｂの電源端子であるＶＣＣ端子に入力されている。払出制御ＭＰＵ１７１０ａのＶＤＤ端子はグランドと接地されたコンデンサＣ５８と電気的に接続され、払出制御Ｉ／Ｏポート１７１０ｂのＶＣＣ端子はグランドと接地されたコンデンサＣ５９と電気的に接続されており、ＶＤＤ端子及びＶＣＣ端子に入力される＋５Ｖはさらにリップルが除去されて平滑化されている。払出制御ＭＰＵ１７１０ａの接地端子であるＶＳＳ端子はグランドと接地され、払出制御Ｉ／Ｏポート１７１０ｂの接地端子であるＧＮＤ端子はグランドと接地されている。また、払出制御シリーズレギュレータＩＣ７１５ａのＯＵＴ端子から出力されて平滑化された＋５Ｖは、発射制御部１７２０等にも入力されている。
【０１７９】
［９−４．払出制御基板における各種入出力信号］
［９−４−１．払出制御Ｉ／Ｏポートの各種入出力信号］
エラー解除スイッチ１７３１（本実施形態では、アルプス電気製：ＳＫＨＨＤＧＡ０１０）の操作、球抜きスイッチ１７３２（本実施形態では、アルプス電気製：ＳＫＨＨＤＡＡ０１０）の操作は、検出信号として払出制御Ｉ／Ｏポート１７１０ｂに入力されている。
【０１８０】
ここで、図１８に示したエラーＬＥＤ表示器１７３０に、球切れ、球がみ、賞球ストック（未払出分あり）、接続異常等の動作エラー状態が表示されると、エラー解除スイッチ１７３１を操作して図１８に示したスピーカ３４から動作エラー状態に応じたエラー解除法を伝える音声案内が流れ、その指示に従って動作エラー状態を解除する。パチンコ遊技機１をホールに設置して移設するときや、上述した、賞球タンク４００及びタンクレール部材４１０に溜まったゴミ（例えば、遊技球のメッキがはがれた粉等）を取り除くときには、上述したように、球抜きスイッチ１７３２を操作して賞球タンク４００、タンクレール部材４１０等に貯留された遊技球をパチンコ遊技機１の外部に排出する。
【０１８１】
［９−４−１（ａ）．エラー解除スイッチからの検出信号］
エラー解除スイッチ１７３１の出力ピンとしての１番ピンは、図２５に示すように、払出制御Ｉ／Ｏポート１７１０ｂの入力ポートＰＤの５番ピンである入力ピンＰＤ５と電気的に接続されている。入力ピンＰＤ５は負論理入力とするため、エラー解除スイッチ１７３１の１番ピンと払出制御Ｉ／Ｏポート１７１０ｂの入力ピンＰＤ５との端子間の電圧はプルアップ抵抗Ｒ５６により＋５Ｖに引き上げられている。この＋５Ｖに引き上げられた電圧は、グランドと接地されたコンデンサＣ６０によりリップルが除去されて平滑化されている（コンデンサＣ６０は、ローパスフィルタとしての役割も担っている）。エラー解除スイッチ１７３１が操作されないときにはプルアップ抵抗Ｒ５６により＋５Ｖに引き上げられて論理がＨＩとなったエラー解除検出信号が払出制御Ｉ／Ｏポート１７１０ｂの入力ピンＰＤ５に入力され、一方、エラー解除スイッチ１７３１が操作されたときには論理がＬＯＷとなったエラー解除検出信号が払出制御Ｉ／Ｏポート１７１０ｂの入力ピンＰＤ５に入力される。
【０１８２】
［９−４−１（ｂ）．球抜きスイッチからの検出信号］
球抜きスイッチ１７３２の出力ピンとしての１番ピンは、図２５に示すように、払出制御Ｉ／Ｏポート１７１０ｂの入力ポートＰＤの２番ピンである入力ピンＰＤ２と電気的に接続されている。入力ピンＰＤ２は負論理入力とするため、球抜きスイッチ１７３２の１番ピンと払出制御Ｉ／Ｏポート１７１０ｂの入力ピンＰＤ２との端子間の電圧はプルアップ抵抗Ｒ５７により＋５Ｖに引き上げられている。この＋５Ｖに引き上げられた電圧は、グランドと接地されたコンデンサＣ６１によりリップルが除去されて平滑化されている（コンデンサＣ６１は、ローパスフィルタとしての役割も担っている）。球抜きスイッチ１７３２が操作されないときにはプルアップ抵抗Ｒ５７により＋５Ｖに引き上げられて論理がＨＩとなった球抜き検出信号が払出制御Ｉ／Ｏポート１７１０ｂの入力ピンＰＤ２に入力され、一方、球抜きスイッチ１７３２が操作されたときには論理がＬＯＷとなった球抜き検出信号が払出制御Ｉ／Ｏポート１７１０ｂの入力ピンＰＤ２に入力される。
【０１８３】
［９−４−１（ｃ）．その他の各種入出力信号］
払出制御Ｉ／Ｏポート１７１０ｂのシリアルデータ入力端子であるＲＸＤ端子は、図１８に示した主制御基板１７００からのシリアルデータが主払シリアルデータ受信信号として入力されている。一方、払出制御Ｉ／Ｏポート１７１０ｂのシリアルデータ出力端子であるＴＸＤ端子から主制御基板１７００に送信するシリアルデータが払主シリアルデータ送信信号として出力される。
【０１８４】
払出制御Ｉ／Ｏポート１７１０ｂの入力ポートＰＤ及び入力ポートＰＥの各入力ピンは、例えば、上述した、入力ピンＰＤ５にはエラー解除スイッチ１７３１からのエラー解除検出信号が入力され、入力ピンＰＤ２には球抜きスイッチ１７３２からの球抜き検出信号が入力され、入力ピンＰＤ７には上述した払主シリアルデータ受信信号の正常受信完了の旨を伝える主制御基板１７００からの主払ＡＣＫ信号が入力され、入力ピンＰＤ１には満タンスイッチ５４５からの検出信号が入力される。
【０１８５】
一方、払出制御Ｉ／Ｏポート１７１０ｂの出力ポートＰＡ〜ＰＣの出力ピンから、例えば、出力ピンＰＢ０〜ＰＢ５から払出モータ駆動信号が出力され、出力ピンＰＣ３から上述した主払シリアルデータ受信信号の正常受信完了の旨を伝える払主ＡＣＫ信号が出力され、出力ピンＰＣ５から外部ＷＤＴ１７１０ｃへ外部ＷＤＴクリア信号が出力される。
【０１８６】
なお、払出制御Ｉ／Ｏポート１７１０ｂのデータ入出力端子Ｄ０〜Ｄ７と、払出制御ＭＰＵ１７１０ａのデータ入出力端子Ｄ０〜Ｄ７と、はデータバスを介して各種情報や各種信号のやり取りを行う。払出制御ＭＰＵ１７１０ａは、入力ポートＰＤ及びＰＥから各種信号を、データバスを介して読み込み、このデータバスを介して出力ポートＰＡ〜ＰＣから各種信号を出力する。
【０１８７】
［９−４−２．扉枠開放スイッチ及び本体枠開放スイッチからの検出信号］
上述したように、本体枠３には、扉枠５が本体枠３から開放された状態であるか否かを検出する扉枠開放スイッチ３ａと、本体枠３が外枠２から開放された状態であるか否かを検出する本体枠開放スイッチ３ｂと、が設けられている。これらの検出信号は、図１８に示したように、払出制御基板７１５に入力されている。
【０１８８】
［９−４−２（ａ）．扉枠開放スイッチからの検出信号］
扉枠開放スイッチ３ａは、常閉形（ノーマルクローズ（ＮＣ））を用いており、扉枠５が本体枠３から開放された状態でスイッチがＯＮ（導通）し、扉枠５が本体枠３に閉鎖された状態でスイッチがＯＦＦ（切断）するようになっている。扉枠開放スイッチ３ａの端子は、図２７に示すように、扉枠開放スイッチ用端子７１６ａと電気的に接続されている。扉枠開放スイッチ３ａからの検出信号の一方は、抵抗Ｒ６０を介してトランジスタＴＲ６０のベースに入力され、抵抗Ｒ６０とトランジスタＴＲ６０のベースとの間にグランドと接地された抵抗Ｒ６１が電気的に接続されている。また、トランジスタＴＲ６０のエミッタはグランドと接地され、トランジスタＴＲ６０のコレクタは後述するトランジスタＴＲ６１のコレクタと電気的に接続されている。
【０１８９】
トランジスタＴＲ６０のコレクタとトランジスタＴＲ６１のコレクタとの電気的な接続により論理和の回路（ＯＲ回路）が形成され、その演算結果が枠開放情報出力情報として図１８に示した主ドロワ中継基板６５７を介して主制御基板１７００に出力される。一方、扉枠開放スイッチ３ａからの検出信号の他方は、上述した外部端子板用端子７１８を介して扉枠開放信号として図１８に示した外部端子板７００ａに出力される。なお、扉枠開放信号は、外部端子板７００ａに設けた扉枠開放スイッチ用フォトカプラのカソードと電気的に接続されおり、扉枠開放スイッチ用フォトカプラのアノードには＋１８Ｖが入力されている。このように、扉枠開放スイッチ３ａには＋１８Ｖの電圧が印加されている。
【０１９０】
［９−４−２（ｂ）．本体枠開放スイッチからの検出信号］
本体枠開放スイッチ３ｂは、扉枠開放スイッチ３ａと同様に、常閉形（ノーマルクローズ（ＮＣ））を用いており、本体枠３が外枠２から開放された状態でスイッチがＯＮ（導通）し、本体枠３が外枠２に閉鎖された状態でスイッチがＯＦＦ（切断）するようになっている。本体枠開放スイッチ３ｂの端子は、図２７に示すように、本体枠開放スイッチ用端子７１６ｂと電気的に接続されている。本体枠開放スイッチ３ｂからの検出信号の一方は、抵抗Ｒ６２を介してトランジスタＴＲ６１のベースに入力され、抵抗Ｒ６２とトランジスタＴＲ６１のベースとの間にグランドと接地された抵抗Ｒ６３が電気的に接続されている。また、トランジスタＴＲ６１のエミッタはグランドと接地され、トランジスタＴＲ６１のコレクタは上述したトランジスタＴＲ６０のコレクタと電気的に接続されている。
【０１９１】
トランジスタＴＲ６０のコレクタとトランジスタＴＲ６１のコレクタとの電気的な接続により論理和の回路（ＯＲ回路）が形成され、その演算結果が枠開放情報出力情報として図１８に示した主ドロワ中継基板６５７を介して主制御基板１７００に出力される。一方、本体枠開放スイッチ３ｂからの検出信号の他方は、扉枠開放スイッチ３ａからの扉枠開放信号と同様に、上述した外部端子板用端子７１８を介して本体枠開放信号として図１８に示した外部端子板７００ａに出力される。なお、本体枠開放信号は、扉枠開放信号と同様に、外部端子板７００ａに設けた本体枠開放スイッチ用フォトカプラのカソードと電気的に接続されており、本体枠開放スイッチ用フォトカプラのアノードには＋１８Ｖが入力されている。このように、本体枠開放スイッチ３ｂには扉枠開放スイッチ３ａと同様に＋１８Ｖの電圧が印加されている。
【０１９２】
本実施形態では、上述したように、扉枠開放スイッチ３ａ、本体枠開放スイッチ３ｂをノーマルクローズのスイッチを用いている。このため、扉枠開放スイッチ３ａが短絡してスイッチがＯＮ（導通）する状態となっても、扉枠５が本体枠３から開放された状態となり、本体枠開放スイッチ３ｂが短絡してスイッチがＯＮ（導通）する状態となっても、本体枠３が外枠２から開放された状態となる。このように、扉枠開放スイッチ３ａ、本体枠開放スイッチ３ｂをノーマルクローズのスイッチを用いることで、短絡時にでも例えば上述した枠開放情報出力信号を、主ドロワ中継基板６５７を介して主制御基板１７００に出力することができ、図１８に示した、主制御基板１７００の主制御ＭＰＵ１７００ａは、扉枠５が本体枠３から開放された状態や本体枠３が外枠２から開放された状態を判断することができる。
【０１９３】
なお、扉枠開放スイッチ３ａ、本体枠開放スイッチ３ｂをノーマルクローズのスイッチから、常開形（ノーマルオープン（ＮＯ））のスイッチ（扉枠開放スイッチ３ａ’、本体枠開放スイッチ３ｂ’）に替えると、扉枠開放スイッチ３ａ’は、扉枠５が本体枠３から閉鎖された状態でスイッチがＯＮ（導通）し、扉枠５が本体枠３に開放された状態でスイッチがＯＦＦ（切断）する。本体枠開放スイッチ３ｂ’は、本体枠３が外枠２から閉鎖された状態でスイッチがＯＮ（導通）し、本体枠３が外枠２に開放された状態でスイッチがＯＦＦ（切断）する。
【０１９４】
ここで、扉枠開放スイッチ３ａ’が断線してスイッチがＯＦＦ（切断）する状態となっても、扉枠５が本体枠３から開放された状態となり、本体枠開放スイッチ３ｂ’が断線してスイッチがＯＦＦ（切断）する状態となっても、本体枠３が外枠２から開放された状態となる。このように、扉枠開放スイッチ３ａ’、本体枠開放スイッチ３ｂ’をノーマルオープンのスイッチを用いることで、断線時にでも例えば上述した枠開放情報出力信号を、主ドロワ中継基板６５７を介して主制御基板１７００に出力することができ、主制御基板１７００の主制御ＭＰＵ１７００ａは、扉枠５が本体枠３から開放された状態や本体枠３が外枠２から開放された状態を判断することができる。
【０１９５】
［９−４−３．主制御基板との各種入出力信号及び外部端子板への各種出力信号］
ここで、払出制御基板７１５と主制御基板１７００との各種入出力信号と、払出制御基板７１５による外部端子板７００ａへの各種出力信号について説明する。
【０１９６】
［９−４−３（ａ）．主制御基板との各種入出力信号］
払出制御基板７１５は、図１８に示したように、主ドロワ中継基板６５７を介して主制御基板１７００と各種入出力信号のやり取りを行う。具体的には、図２８（ａ）に示すように、払出制御基板７１５は、その内部接続端子７２５を介して主ドロワ中継基板６５７と各種入出力信号のやり取りを行う。内部接続端子７２５から主ドロワ中継基板６５７に出力する信号としては、上述した、払主シリアルデータ送信信号、払主ＡＣＫ信号、枠開放情報出力信号等がある。一方、主ドロワ中継基板６５７から内部接続端子７２５に入力される信号としては、上述した、主払シリアルデータ受信信号、主払ＡＣＫ信号、ＲＡＭクリア信号、停電予告信号の他に、大当り情報出力信号、確率変動中情報出力信号、特別図柄表示情報出力信号、普通図柄表示情報出力信号、時短中情報出力情報、始動口入賞情報出力信号等の遊技に関する各種情報（遊技情報）がある。なお、グランド（ＧＮＤ）、＋３４Ｖ、＋１８Ｖ、＋９Ｖの各種電源は、内部接続端子７２５を介して主ドロワ中継基板６５７に供給されている。
【０１９７】
［９−４−３（ｂ）．外部端子板への各種出力信号］
払出制御基板７１５は、その外部端子板用端子７１８を介して外部端子板７００ａに各種信号を出力する。具体的には、図２８（ｂ）に示すように、上述した、扉枠開放信号、本体枠開放信号の他に、図１８に示した払出モータ４６５が実際に払い出した遊技球の球数を示す賞球数情報出力信号を直接出力する他、主制御基板１７００から払出制御基板７１５を介して出力する遊技情報等がある。上述したように、外部端子板７００ａは、図示しない遊技場（ホール）に設置されたホールコンピュータと電気的に接続されており、遊技者の遊技等を監視している。
【０１９８】
［９−５．発射制御部の回路］
次に、発射制御部１７２０について説明する。発射制御部１７２０は、図１８に示したように、入力回路１７２０ａ、発振回路１７２０ｂ、発射制御回路１７２０ｃ、発射モータ駆動回路１７２０ｄを備えて構成されている。
【０１９９】
［９−５−１．入力回路］
払出制御基板７１５は、図２９に示すように、ＣＲユニット端子板用端子７１９、操作ハンドル用端子７２４等が設けられている。これらの端子に入力された各種信号は、入力回路１７２０ａに入力されている。この入力回路１７２０ａは、図示しないＣＲユニットからのＣＲ接続信号と、図１８に示したタッチスイッチ８０からの検出信号と、図１８に示した発射停止スイッチ８２からの検出信号が入力されている。ＣＲ接続信号は、図１８に示したように、ＣＲユニットがＣＲユニット端子板７００ｂに電気的に接続されるとＣＲユニット端子板７００ｂを介して入力回路１７２０ａに入力され、タッチスイッチ８０からの検出信号は、上述した操作ハンドル部７１の回動操作部材７４に触れると、タッチスイッチ８０により検出されて図１８に示したハンドル中継端子板７１ａを介して入力回路１７２０ａに入力され、発射停止スイッチ８２からの検出信号は、上述した発射停止ボタン８１を操作すると、発射停止スイッチ８２により検出されてハンドル中継端子板７１ａを介して入力回路１７２０ａに入力される。
【０２００】
［９−５−１（ａ）．ＣＲユニットからの接続信号］
ＣＲユニット端子板７００ｂと払出制御基板７１５との基板間は図示しないハーネスにより電気的に接続されている。このハーネスでは、ノイズの影響を受けにくくするために、図２９に示すように、ＣＲ接続信号を伝えるライン（伝送線）がプルアップ抵抗Ｒ７０により＋１８Ｖに引き上げられている。
【０２０１】
ＣＲ接続信号が入力回路１７２０ａに入力されると、抵抗Ｒ７１を介してトランジスタＴＲ７０（本実施形態では、２ＳＣ１８１５）のベースに入力される。この抵抗Ｒ７１とトランジスタＴＲ７０のベースとの間にはグランドと接地された抵抗Ｒ７２が電気的に接続されている。抵抗Ｒ７１，Ｒ７２の値は、ＣＲ接続信号が入力されていないとき、つまりＣＲユニットがＣＲユニット端子板７００ｂと電気的に接続されていないときには、トランジスタＴＲ７０がＯＮする状態となるように設定されている。
【０２０２】
トランジスタＴＲ７０のコレクタは、プルアップ抵抗Ｒ７３により＋５Ｖに引き上げられており、負論理とした発射許可検出信号を発射制御回路１７２０ｃに出力する。
【０２０３】
トランジスタＴＲ７０がＯＮする状態、つまりＣＲユニットがＣＲユニット端子板７００ｂと電気的に接続されていないときには、トランジスタＴＲ７０のコレクタからトランジスタＴＲ７０のエミッタに電流が流れるため論理がＬＯＷとなった発射許可検出信号が発射制御回路１７２０ｃに出力される。一方、トランジスタＴＲ７０がＯＦＦする状態、つまりＣＲユニットがＣＲユニット端子板７００ｂと電気的に接続されているときには、トランジスタＴＲ７０のコレクタからトランジスタＴＲ７０のエミッタに電流が流れないためプルアップ抵抗Ｒ７３により＋５Ｖに引き上げられて論理がＨＩとなった発射許可検出信号が発射制御回路１７２０ｃに出力される。
【０２０４】
［９−５−１（ｂ）．タッチスイッチからの検出信号］
タッチスイッチ８０からの検出信号が入力回路１７２０ａに入力されると、抵抗Ｒ７２４ｂを介してトランジスタＴＲ７１（本実施形態では、２ＳＣ１８１５）のベースに入力される。この抵抗Ｒ７２４ｂとトランジスタＴＲ７１のベースとの間にはグランドと接地された抵抗Ｒ７５が電気的に接続されている。抵抗Ｒ７２４ｂ，Ｒ７５の値は、タッチスイッチ８０が検出信号を出力するとき、つまり操作ハンドル部７１の回動操作部材７４に触れていないときには、トランジスタＴＲ７１がＯＮする状態となるように設定されている。トランジスタＴＲ７１のベースに入力される電圧は、グランドと接地されたコンデンサＣ７０によりノイズが除去されて平滑化されている。
【０２０５】
トランジスタＴＲ７１のコレクタは、プルアップ抵抗Ｒ７６により＋５Ｖに引き上げられており、負論理としたタッチ検出信号を発射制御回路１７２０ｃに出力する。
【０２０６】
トランジスタＴＲ７１がＯＮする状態、つまり操作ハンドル部７１の回動操作部材７４に触れていないときには、トランジスタＴＲ７１のコレクタからトランジスタＴＲ７１のエミッタに電流が流れるため論理がＬＯＷとなったタッチ検出信号が発射制御回路１７２０ｃに出力される。一方、トランジスタＴＲ７１がＯＦＦする状態、つまり操作ハンドル部７１の回動操作部材７４に触れているときには、トランジスタＴＲ７１のコレクタからトランジスタＴＲ７１のエミッタに電流が流れないためプルアップ抵抗Ｒ７６により＋５Ｖに引き上げられて論理がＨＩとなったタッチ検出信号が発射制御回路１７２０ｃに出力される。
【０２０７】
なお、タッチスイッチ８０からの検出信号は、上述したように、ハンドル中継端子板７１ａを介して操作ハンドル用端子７２４に入力されているが、ハンドル中継端子板７１ａから操作ハンドル用端子７２４までは配線により電気的に接続されている。この配線は、下補強板（図示せず）に沿って取り付けられている。この下補強板は、上述したように、貯留皿３０に貯留された球からの静電放電によるノイズ等を扉枠５から除去するアース接続板としての役割も担っているため、ハンドル中継端子板７１ａからの配線はノイズ等の影響を極めて受けやすい環境下にある。このため、タッチスイッチ８０からの検出信号にノイズ等が侵入すると、グランド（ＧＮＤ）の電圧が０Ｖ〜＋３Ｖに上下して不安定となり、図１８に示した、例えば払出制御基板７１５における払出制御部１７１０の払出制御ＭＰＵ１７１０ａの電源端子ＶＤＤに入力されている＋５Ｖとの電位差が払出制御ＭＰＵ１７１０ａの作動電圧より小さくなって払出制御ＭＰＵ１７１０ａが突然リセットするおそれがある。そこで、本実施形態では、＋１８Ｖが電源側ノイズ低減抵抗である抵抗Ｒ７２４ａを介してタッチスイッチ８０に供給されるとともに、タッチスイッチ８０からの検出信号が検出信号側ノイズ低減抵抗である抵抗Ｒ７２４ｂを介して入力されることによってグランド（ＧＮＤ）を安定化させている。
【０２０８】
本実施形態では、抵抗Ｒ７２４ａ，Ｒ７２４ｂとして巻線式の抵抗を用いており、抵抗Ｒ７２４ａ，Ｒ７２４ｂのコイル成分であるインダクタンスにより、ハンドル中継端子板７１ａからの配線に侵入したノイズ等によるグランド（ＧＮＤ）の高周波成分をより抑制することができる。これにより、払出制御基板７１５における払出制御部１７１０の払出制御ＭＰＵ１７１０ａに、突然リセットがかからなくなるとともに、払出制御基板７１５と主制御基板１７００との各種入出力信号のやり取りでグランド（ＧＮＤ）の変動による通信エラーが生じなくなる。
【０２０９】
［９−５−１（ｃ）．発射停止スイッチからの検出信号］
発射停止スイッチ８２からの検出信号が入力回路１７２０ａに入力されると、抵抗Ｒ７２４ｄを介してトランジスタＴＲ７２（本実施形態では、２ＳＣ１８１５）のベースに入力される。この抵抗Ｒ７２４ｄとトランジスタＴＲ７２のベースとの間にはグランドと接地された抵抗Ｒ７８が電気的に接続されている。抵抗Ｒ７２４ｄ，Ｒ７８の値は、発射停止スイッチ８２が検出信号を出力するとき、つまり操作ハンドル部７１の発射停止ボタン８１を操作していないときには、トランジスタＴＲ７２がＯＮする状態となるように設定されている。トランジスタＴＲ７２のベースに入力される電圧は、グランドと接地されたコンデンサＣ７１によりノイズが除去されて平滑化されている。
【０２１０】
トランジスタＴＲ７２のコレクタは、プルアップ抵抗Ｒ７９により＋５Ｖに引き上げられており、負論理とした発射停止検出信号を発射制御回路１７２０ｃに出力する。
【０２１１】
トランジスタＴＲ７１がＯＮする状態、つまり操作ハンドル部７１の発射停止ボタン８１を操作していないときには、トランジスタＴＲ７２のコレクタからトランジスタＴＲ７２のエミッタに電流が流れるため論理がＬＯＷとなった発射停止検出信号が発射制御回路１７２０ｃに出力される。一方、トランジスタＴＲ７２がＯＦＦする状態、つまり操作ハンドル部７１の発射停止ボタン８１を操作しているときには、トランジスタＴＲ７２のコレクタからトランジスタＴＲ７２のエミッタに電流が流れないためプルアップ抵抗Ｒ７９により＋５Ｖに引き上げられて論理がＨＩとなった発射停止検出信号が発射制御回路１７２０ｃに出力される。
【０２１２】
なお、発射停止スイッチ８２からの検出信号は、上述したように、ハンドル中継端子板７１ａを介して操作ハンドル用端子７２４に入力されているが、ハンドル中継端子板７１ａから操作ハンドル用端子７２４までは配線により電気的に接続されている。この配線は、前記の下補強板に沿って取り付けられている。この下補強板は、上述したように、貯留皿３０に貯留された球からの静電放電によるノイズ等を扉枠５から除去するアース接続板としての役割も担っているため、ハンドル中継端子板７１ａからの配線はノイズ等の影響を極めて受けやすい環境下にある。このため、発射停止スイッチ８２からの検出信号にノイズ等が侵入すると、グランド（ＧＮＤ）の電圧が０Ｖ〜＋３Ｖに上下して不安定となり、例えば払出制御基板７１５における払出制御部１７１０の払出制御ＭＰＵ１７１０ａの電源端子ＶＤＤに入力されている＋５Ｖとの電位差が払出制御ＭＰＵ１７１０ａの作動電圧より小さくなって払出制御ＭＰＵ１７１０ａが突然リセットするおそれがある。そこで、本実施形態では、＋１８Ｖが電源側ノイズ低減抵抗である抵抗Ｒ７２４ｃを介して発射停止スイッチ８２に供給されるとともに、発射停止スイッチ８２からの検出信号が検出信号側ノイズ低減抵抗である抵抗Ｒ７２４ｄを介して入力されることによってグランド（ＧＮＤ）を安定化させている。
【０２１３】
本実施形態では、抵抗Ｒ７２４ｃ，Ｒ７２４ｄとして巻線式の抵抗を用いており、抵抗Ｒ７２４ｃ，Ｒ７２４ｄのコイル成分であるインダクタンスにより、ハンドル中継端子板７１ａからの配線に侵入したノイズ等によるグランド（ＧＮＤ）の高周波成分をより抑制することができる。これにより、払出制御基板７１５における払出制御部１７１０の払出制御ＭＰＵ１７１０ａに、突然リセットがかからなくなるとともに、払出制御基板７１５と主制御基板１７００との各種入出力信号のやり取りでグランド（ＧＮＤ）の変動による通信エラーが生じなくなる。
【０２１４】
［９−５−１（ｄ）．電源側ノイズ低減抵抗及び検出信号側ノイズ低減抵抗の配置］
ここで、電源側ノイズ低減抵抗である抵抗Ｒ７２４ａ，Ｒ７２４ｃと、検出信号側ノイズ低減抵抗であるＲ７２４ｂ，Ｒ７２４ｄの配置について説明する。払出制御基板７１５は、上述したように、タッチスイッチ８０からの検出信号及び発射停止スイッチ８２からの検出信号が操作ハンドル用端子７２４を介して入力されている。タッチスイッチ８０には電源側ノイズ低減抵抗である抵抗Ｒ７２４ａ及び検出信号側ノイズ低減抵抗である抵抗Ｒ７２４ｂが設けられ、発射停止スイッチ８２には電源側ノイズ低減抵抗である抵抗Ｒ７２４ｃ及び検出信号側ノイズ低減抵抗である抵抗Ｒ７２４ｄが設けられている。これらの抵抗Ｒ７２４ａ〜Ｒ７２４ｄは、図３０（ａ）に示すように、払出制御基板７１５の部品面７１５ａのエラー解除スイッチ１７３１の左方近傍に配置されている。
【０２１５】
払出制御基板７１５の部品面７１５ａ及びハンダ面７１５ｂは、図３０（ｂ），（ｃ）に示すように、抵抗Ｒ７２４ａ〜Ｒ７２４ｄを配線するパターン（「配線パターン」という。）回りが箔抜けされた状態となっている箔抜け領域７２４ａ，７２４ｂを設けている。この箔抜け領域７２４ａ，７２４ｂでは、抵抗Ｒ７２４ａ〜Ｒ７２４ｄの配線パターン回りに＋１８Ｖ等の電源線やグランド（ＧＮＤ）線が配置されないようになっている。これにより、抵抗Ｒ７２４ａ〜Ｒ７２４ｄの配線パターンに侵入してくるノイズ等を箔抜け領域７２４ａ，７２４ｂで防止することができ、グランド（ＧＮＤ）の変動を抑制することができる。
【０２１６】
また、抵抗Ｒ７２４ａ〜Ｒ７２４ｄは、ハンダ面７１５ｂでハンダ付けされる銅箔部分（「ランド」という。）が他の電子部品等のランドと所定間隔だけ離して配置されている。抵抗Ｒ７２４ａ〜Ｒ７２４ｄのランドと、他の電子部品等のランドと、の距離は、電源線の電位やグランド（ＧＮＤ）線の電位が互いに影響を及ぼさない程度に設定されている。これにより、他の電子部品等のランドからの電源線の電位やグランド（ＧＮＤ）線の電位の影響を防止することができ、グランド（ＧＮＤ）の変動を抑制することができる。
【０２１７】
［９−５−２．発振回路］
発振回路１７２０ｂは、図３１に示すように、水晶振動子Ｘ８０（本実施形態では、リバーエレテック製：ＨＣ−４９／Ｕ０３、４ＭＨｚ）、この水晶振動子Ｘ８０の負荷容量を設定するコンデンサＣ８０，Ｃ８１、帰還抵抗Ｒ８０を備えて構成されている。水晶振動子Ｘ８０の両端子は発射制御回路１７２０ｃに電気的に接続されており、水晶振動子Ｘ８０と発射制御回路１７２０ｃとは閉ループの回路となっている。この閉ループの回路には、水晶振動子Ｘ８０と並列に帰還抵抗Ｒ８０が電気的に接続されている。水晶振動子Ｘ８０の両端子には、グランドと接地されたコンデンサＣ８０，Ｃ８１がそれぞれ電気的に接続されている。帰還抵抗Ｒ８０の値及びコンデンサＣ８０，Ｃ８１の負荷容量は、水晶振動子Ｘ８０が安定して発振するように設定されている。これにより、発振回路１７２０ｂは、ゆらぎが抑えられたクロック信号を発射制御回路１７２０ｃに供給することができる。
【０２１８】
［９−５−３．発射制御回路］
発射制御回路１７２０ｃは、図３１に示すように、発振回路１７２０ｂからのクロック信号がクロック入出端子ＸＴ１，ＸＴ２に入力されており、この入力されたクロック信号に基づいて発射モータ３４４の回転速度を決定する基準パルスを出力端子ＡＡ，ＢＢから発射モータ駆動回路１７２０ｄに出力する。なお、電源端子であるＶＣＣ端子は＋５Ｖが入力されており、グランドと接地されたコンデンサＣ８２と電気的に接続されている。これにより、ＶＣＣ端子に入力される＋５Ｖはリップルが除去されて平滑化されている。また、接地端子であるＧＮＤ端子はグランドに接地されている。
【０２１９】
発射制御回路１７２０ｃは、上述した、発射許可検出信号が入力端子ＥＮ１に入力され、タッチ検出信号が入力端子ＥＮ３に入力され、発射停止検出信号が入力端子ＥＮ４に入力されている。発射制御回路１７２０ｃは、これらの発射許可検出信号、タッチ検出信号、発射停止検出信号の論理積（ＡＮＤ）をとり、この演算結果をスタート端子であるＳＴ端子から発射モータ駆動回路１７２０ｄに出力する。このＳＴ端子は、出力端子ＡＡ，ＢＢから出力する基準パルスを許可している旨又は禁止している旨を発射モータ駆動回路１７２０ｄに伝えるものである。
【０２２０】
具体的には、発射許可検出信号、タッチ検出信号、発射停止検出信号の論理がすべてＨＩである場合（ＣＲユニットがＣＲユニット端子板７００ｂと電気的に接続され、操作ハンドル部７１の回動操作部材７４に触れ、操作ハンドル部７１の発射停止ボタン８１を操作していない場合）には、ＳＴ端子から論理がＨＩとなったスタート信号が出力され、出力端子ＡＡ，ＢＢから許可した基準パルスが出力されている旨を発射モータ駆動回路１７２０ｄに伝える一方、発射許可検出信号、タッチ検出信号、発射停止検出信号のうち少なくとも１つに論理がＬＯＷである場合（例えば、ＣＲユニットがＣＲユニット端子板７００ｂと電気的に接続され、操作ハンドル部７１の回動操作部材７４に触れ、操作ハンドル部７１の発射停止ボタン８１を操作している場合）には、ＳＴ端子から論理がＬＯＷとなったスタート信号が出力され、出力端子ＡＡ，ＢＢから禁止した基準パルスが出力されている旨を発射モータ駆動回路１７２０ｄに伝える。
【０２２１】
［９−５−４．発射モータ駆動回路］
発射モータ駆動回路１７２０ｄは、図３１に示すように、発射制御回路１７２０ｃの出力端子ＡＡ，ＢＢから出力された基準パルスが入力され、発射制御回路１７２０ｃのＳＴ端子から出力されたスタート信号が入力されている。具体的には、発射制御回路１７２０ｃの出力端子ＡＡから出力された基準パルスは発射モータ駆動回路１７２０ｄのＡ相入力端子であるＩＮＡ端子に入力され、発射制御回路１７２０ｃの出力端子ＢＢから出力された基準パルスは発射モータ駆動回路１７２０ｄのＢ相入力端子であるＩＮＢ端子に入力され、発射制御回路１７２０ｃのＳＴ端子から出力されたスタート信号は発射モータ駆動回路１７２０ｄのスタート端子であるＳＴ端子に入力されている。
【０２２２】
発射モータ駆動回路１７２０ｄは、ＳＴ端子に論理がＨＩであるスタート信号が入力されると、ＩＮＡ端子に入力された基準パルスに基づいてＡ相出力端子であるＡ端子から発射モータ用端子７２３を介して発射モータ３４４のＡ相に励磁信号である駆動パルスが出力される一方、Ａ端子から出力される駆動パルスの論理を反転した励磁信号である駆動パルスがＡ相反転出力端子であるＡＸ端子から発射モータ用端子７２３を介して発射モータ３４４の／Ａ相に出力され、ＩＮＢ端子に入力された基準パルスに基づいてＢ相出力端子であるＢ端子から発射モータ用端子７２３を介して発射モータ３４４のＢ相に励磁信号である駆動パルスが出力される一方、Ｂ端子から出力される駆動パルスの論理を反転した励磁信号である駆動パルスがＢ相反転出力端子であるＢＸ端子から発射モータ用端子７２３を介して発射モータ３４４の／Ｂ相に出力される。
【０２２３】
なお、発射モータ駆動回路１７２０ｄの電源端子であるＶＣＣ１端子は＋５Ｖが入力されており、発射モータ駆動回路１７２０ｄのＡ相電源電圧端子であるＶＣＣ２Ａ端子及びＢ相電源電圧端子であるＶＣＣ２Ｂ端子は発射モータ３４４の駆動用電圧である＋３４Ｖが入力されている。これらのＶＣＣ２Ａ端子及びＶＣＣ２Ｂ端子は、グランドと接地された電解コンデンサＣ８３と電気的に接続されており、発射モータ３４４の駆動による一時的な電圧低下を抑えることで駆動トルクを一定に保持している。また、ＶＣＣ２Ａ端子及びＶＣＣ２Ｂ端子は、グランドと接地されたコンデンサＣ８４と電気的に接続されており、接地端子であるＧＮＤ端子はグランドと接地されている。
【産業上の利用可能性】
【０２２４】
請求項に記載の発明によれば、遊技盤の盤面に球を発射して楽しむ遊技機のゲームとしての余興性を向上させることができる。
【符号の説明】
【０２２５】
１  パチンコ遊技機（遊技機）
２  外枠
３  本体枠
３ａ  扉枠開放スイッチ
３ｂ  本体枠開放スイッチ
４  遊技盤
５  扉枠
５０  ガラスユニット
５ａａ，５ｂ〜５ｈ  扉枠装飾ランプ
６  下部前面カバー
６ａ  装飾板
２０  入賞口
３０  貯留皿
３０ａ  球排出ボタン
３４  スピーカ
【０２２６】
４２  遊技窓
４２１  基体窓
４２２  窓開口
４２２ａ  窓開口
４２２ｂ  窓開口
４２９  蝶番
４３０  蝶番
４３２  空間
４３３  装飾ピース
４３３ａ−４３３ｅ  装飾ピース
４３４  打球（遊技球）
４３５  隔壁部分
【０２２７】
５０  ガラスユニット
６０  ガラス板
７０  ハンドル装置
７１  操作ハンドル部
７１ａ  ハンドル中継端子板
７４  回動操作部材
８０  タッチスイッチ
８０ａ  接触検出基板
８２  発射停止スイッチ
【０２２８】
２２２  後面開口
２５０  基体
２５１  飾り枠
２５１ａ  セグメント表示器用開口
２５１ｂ  ＬＥＤ用挿通孔
２５１ｃ  機能表示シール貼付部
２５２  透明板
２５５  遊技領域
２５６  アウト口
２６８ａ  ＲＡＭクリアスイッチ
２７０  ドロワコネクタ
２７０ａ  ターミナル
３００  打球発射装置
３４４  発射モータ
【０２２９】
４００  賞球タンク
４１０  タンクレール部材
４１４  ねじ
４１５  外周レール
４１６  内周レール
４１６ａ  左内周レール
４１６ｂ  右内周レール
４１７  障害釘
４１８  打球移動領域
４２０  球通路ユニット
４２６  球切れスイッチ
４５０  賞球ユニット
４５７  スプロケット
４６２  計数スイッチ
４６５  払出モータ
４８０  賞球ユニット内中継端子板
４９３  第１ギヤ
４９４  第２ギヤ
４９７  第３ギヤ
【０２３０】
５００  検出円盤
５０１  検出切欠
５０２  ギヤ部
５０４  センサ基板
５０５  回転角スイッチ
５４５  満タンスイッチ
６５０  基板ユニット
６５１  枠用基板ホルダー
６５３  電源基板ボックス
６５５  払出制御基板ボックス
６５６  シールド放熱板
６５６ａ  凹凸面
６５７  主ドロワ中継基板
６５８  副ドロワ中継基板
６８６  電源基板
６８６ａ  ＋３４Ｖ作成回路
６８６ｂ  ＋１８Ｖ作成回路
６８６ｃ  ＋９Ｖ作成回路
６８７  電源スイッチ
６８８  電源線コネクタ
６８９  ＣＲユニット電源線コネクタ
【０２３１】
７００ａ  外部端子板
７００ｂ  ＣＲユニット端子板
７１５  払出制御基板
７１５ａ  払出制御シリーズレギュレータ
７２４ａ，７２４ｂ  箔抜き領域
７３０  ドロワコネクタ
７３０ａ  コンタクト
７５０  カバー体
【０２３２】
１２００  センター役物装置
１２００ａ  アウト口誘導通路
１２１０  入賞口ユニット
１２２０  装飾ユニット
１２２５  機能表示ユニット
１２２５ａ  機能表示基板
１２２５ｂ  カバー部材
１２３０  演出ランプ
１２４０  階調ランプ
１２５０  ステージ
１２６０  球誘導孔
１２７０  球誘導路
１２８０  ワープ孔
１２９０  ゲート
【０２３３】
１３００  ゲートスイッチ
１３１０  隔壁板
１３１５  液晶表示器
１３２０  液晶表示領域
１３３０  上始動入賞口
１３４０  下始動入賞口
１３５０  大入賞口装置
１３６０  上始動口スイッチ
１３７０  下始動口スイッチ
１３８０  開閉翼
１３９０  開閉翼ソレノイド
１４００  大入賞口
１４１０  開閉板
１４２０  開閉板ソレノイド
１４３０  カウントスイッチ
１４４０  左普通入賞口
１４５０  右普通入賞口
１４６０  左入賞口スイッチ
１４７０  右入賞口スイッチ
１４８０  上特別図柄表示器（特別図柄表示器）
１４９０  下特別図柄表示器（特別図柄表示器）
【０２３４】
１５００ａ，１５００ｂ  上特別図柄記憶ランプ（特別図柄記憶ランプ群）
１５１０ａ，１５１０ｂ  下特別図柄記憶ランプ（特別図柄記憶ランプ群）
１５２０  普通図柄表示器（普通図柄表示器）
１５３０ａ〜１５３０ｄ  普通図柄記憶ランプ（普通図柄記憶ランプ群）
１５４０  遊技状態表示ランプ
１５５０  ２ラウンド表示ランプ（ラウンド表示ランプ群）
１５６０  １５ラウンド表示ランプ（ラウンド表示ランプ群）
１５７０  演出ランプ
１５８０  装飾ユニット側普通入賞口
１５９０  装飾ユニット側普通入賞口
１５９５Ａ  機能表示シール（機能表示部材）
１６００  主基板
１６１０  周辺基板
１６５０  パネル中継基板
【０２３５】
１７００  主制御基板
１７００ａ  主制御ＭＰＵ（マイクロプロセッサ）
１７００ａａ  ＣＰＵコア
１７００ａｂ  ＲＯＭ
１７００ａｃ  ＲＡＭ
１７００ａｄ  ＣＰＵ初期化手段
１７００ａｄａ  ＷＤＴ
１７００ａｆ  乱数ブロック
１７００ａｆａ  ラッチ手段
１７００ａｆｂ  乱数発生ブロック
１７００ａｆｂａ  乱数仕様選択機能
１７００ａｆｂｂ  乱数発生手段
１７００ａｆｂｃ  乱数異常検出手段
１７００ａｆｂｄ  乱数異常ステータス
１７００ｂ  主制御Ｉ／Ｏポート
１７００ｃ  主制御シリーズレギュレータ
１７００ｄ  停電監視回路
１７００ｅ  電波検出スイッチ
１７００ｆ  活線故障防止回路
【０２３６】
１７１０  払出制御部
１７１０ａ  払出制御ＭＰＵ
１７１０ｂ  払出制御Ｉ／Ｏポート
１７１０ｃ  外部ウォッチドッグタイマ
１７１０ｄ  払出モータ駆動回路
１７２０  発射制御部
１７２０ａ  入力回路
１７２０ｂ  発振回路
１７２０ｃ  発射制御回路
１７２０ｄ  発射モータ駆動回路
１７３０  エラーＬＥＤ表示器
１７３１  エラー解除スイッチ
１７３２  球抜きスイッチ
【０２３７】
１７４０  サブ統合基板
１７４０ａ  サブ統合ＭＰＵ
１７４０ｂ  サブ統合ＲＯＭ
１７４０ｃ  音源ＩＣ
１７４０ｄ  音ＲＯＭ
１７５０  液晶制御基板
１７５０ａ  液晶制御ＭＰＵ
１７５０ｂ  液晶制御ＲＯＭ
１７５０ｃ  ＶＤＰ
１７５０ｅ  液晶制御電源回路
１７５０ｄ  画像ＲＯＭ
１７５５  インバータ基板
１７５５ａ  陰極蛍光ランプ点灯回路
１７６０  ランプ駆動基板
１７６０ａ  ランプ駆動シリーズレギュレータ
１７６０ｂ  階調制御ＩＣ
１７６０ｃ  上あご可動装置駆動回路
１７７０  上あご可動装置
１７８０  下あご可動装置
【図１】
0005598957.tif 000002
【図２】
0005598957.tif 000003
【図３】
0005598957.tif 000004
【図４】
0005598957.tif 000005
【図５】
0005598957.tif 000006
【図６】
0005598957.tif 000007
【図７】
0005598957.tif 000008
【図８】
0005598957.tif 000009
【図９】
0005598957.tif 000010
【図１０】
0005598957.tif 000011
【図１１】
0005598957.tif 000012
【図１２】
0005598957.tif 000013
【図１３】
0005598957.tif 000014
【図１４】
0005598957.tif 000015
【図１５】
0005598957.tif 000016
【図１６】
0005598957.tif 000017
【図１７】
0005598957.tif 000018
【図１８】
0005598957.tif 000019
【図１９】
0005598957.tif 000020
【図２０】
0005598957.tif 000021
【図２１】
0005598957.tif 000022
【図２２】
0005598957.tif 000023
【図２３】
0005598957.tif 000024
【図２４】
0005598957.tif 000025
【図２５】
0005598957.tif 000026
【図２６】
0005598957.tif 000027
【図２７】
0005598957.tif 000028
【図２８】
0005598957.tif 000029
【図２９】
0005598957.tif 000030
【図３０】
0005598957.tif 000031
【図３１】
0005598957.tif 000032